(57)【要約】【課題】機台前方で正対する遊技者が視線を移動するだけで、回転リールの特定図柄の強発光窓部を用いた目押し操作を容易に行うことができる遊技機を提供する。【解決手段】機台中心線よりも側方に偏倚した回転リール９ａ，９ｃの内側に配設されたバックライトユニット６０が、リフレクタの反射面に比して高い光反射性を有する高反射部７１ａ，７１ｂを備え、該高反射部７１ａ，７１ｂが、点光源７９から発した光を前記機台中心線側の斜め前方に反射するようにしたものであるから、機台前方で正対する遊技者が、偏倚位置の前記回転リール９ａ，９ｃに視線を向けるだけで、特定図柄の強発光窓部５３ａ，５３ｂの発光を比較的容易かつ安定して捉えることができる。したがって、前記回転リール９ａ，９ｃの回転中に、前記強発光窓部５３ａ，５３ｂの発光による目押し操作を容易に行うことができる。【選択図】図１２
2016195635.tif 000002
【特許請求の範囲】
【請求項１】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と該点光源から発せられた光を反射させて前方へ照射させるリフレクタとを具備するバックライトユニットと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側に配設されたバックライトユニットは、
前記図柄表示部で停止表示された前記特定図柄の強発光窓部を臨む位置に、前記点光源が配置されると共に、
前記リフレクタ内に、前記点光源とその少なくとも外側で隣合うように設けられ、該点光源から発した光を前記機台中心線側の斜め前方へ反射する、該リフレクタの反射面に比して高い光反射性を有する高反射部を備えていることを特徴とする遊技機。
【請求項２】
前記強発光窓部を望む位置に配置された点光源の外側に設けられた高反射部は、所定角度で傾斜するように形成され、リフレクタの反射面に比して高い光反射性を有する高反射面を備えていることを特徴とする請求項１に記載の遊技機。
【請求項３】
前記高反射面の傾斜角度は、機台前方で正対する遊技者の基準遊技位置と、前記偏倚位置の回転リールの特定図柄の強発光窓部との位置関係に基づいて設定されていることを特徴とする請求項２に記載の遊技機。
【請求項４】
前記高反射面の傾斜角度は、機台前方で正対する遊技者の基準遊技位置における、正視方向と前記偏倚位置の回転リールの特定図柄の強発光窓部に向けた視線方向とが成す角度に、略一致するように設定されていることを特徴とする請求項２に記載の遊技機。
【請求項５】
前記高反射部は、前記点光源の上下には隣合って設けられていないことを特徴とする請求項１乃至請求項４のいずれか１項に記載の遊技機。
【請求項６】
前記高反射部は、前記点光源の左右両側に夫々隣合って設けられていることを特徴とする請求項１乃至請求項５のいずれか１項に記載の遊技機。
【請求項７】
前記高反射部が、リフレクタに設けられると共に、
前記点光源が、該リフレクタに着脱可能に取り付けられる点光源基板に配設されていることを特徴とする請求項１乃至請求項６のいずれか１項に記載の遊技機。
【請求項８】
前記高反射部は、
前記リフレクタに一体成形され、前記所定角度で傾斜する傾斜面を備えた隆起部と、
該隆起部の傾斜面に形成され、前記高反射面を構成する高反射層と
を備えたものであることを特徴とする請求項２乃至請求項４のいずれか１項に記載の遊技機。
【請求項９】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と該点光源から発せられた光を反射させて前方へ照射させるリフレクタとを具備するバックライトユニットと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側に配設されたバックライトユニットは、
前記図柄表示部で停止表示された前記特定図柄の強発光窓部を臨む位置に、前記点光源が配置されると共に、
前記リフレクタ内に、前記点光源の少なくとも一部を覆うように配設され、該点光源から入射した光を前記機台中心線側の斜め前方へ出射する導光部を備えていることを特徴とする遊技機。
【請求項１０】
外周面に一又は複数種類の図柄が列設され、左右横方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と該点光源から発せられた光を反射させて前方へ照射させるリフレクタとを具備するバックライトユニットと
を備えた遊技機において、
前記回転リールの少なくとも一基が、機台に正対する遊技者の基準視線高さ位置よりも、上方または下方に偏倚した所定位置に配設されたものであって、
前記回転リールの図柄のなかで少なくとも一の図柄が、前記点光源から照射された光を透過する強発光窓部を備えた特定図柄であり、
前記偏倚位置の回転リールの内側に配設されたバックライトユニットは、
前記図柄表示部で停止表示された前記特定図柄の強発光窓部を臨む位置に、前記点光源が配置されると共に、
前記リフレクタ内に、前記点光源とその少なくとも上下いずれか一方で隣合うように設けられ、該点光源から発した光を前記基準視線高さ位置側の斜め上方または斜め下方へ反射する、該リフレクタの反射面に比して高い光反射性を有する高反射部を備えていることを特徴とする遊技機。
【発明の詳細な説明】
【技術分野】
【０００１】
本発明は、回転リールの外周面に列設された図柄を照らすバックライトユニットを備えた遊技機に関する。
【背景技術】
【０００２】
一般的なスロットマシンは、三基の回転リールが横並びに配設されており、各回転リールの外周面に列設された図柄が、図柄表示部で変動表示される。さらに、図柄表示部の背方には、該図柄表示部で表示される図柄を照らす点光源（例えば、ＬＥＤ）を備えたバックライトユニットが、各回転リールの内側に配設されている。こうした点光源を備えたバックライトユニットとしては、例えば、特許文献１，２が提案されている。
【０００３】
また、上記回転リールの図柄のなかに、背方から照射された光を透過する光透過性の強発光窓部を備えた特定図柄が設けられ、さらに、上記バックライトユニットの点光源が、図柄表示部で停止表示した該特定図柄の強発光窓部を望む位置に配設された構成が提案されている（例えば、特許文献３）。かかる構成によれば、前記回転リールの回転中に、図柄表示部を特定図柄が通過する際に、該特定図柄の強発光窓部が瞬間的に発光するように見えることから、該発光を参考にして、遊技者が回転リールの回動を停止する操作（所謂、目押し操作）を行うことが可能である。こうした目押し操作を行うことによって、獲得利益の大きな図柄の組合せを図柄表示部で停止表示することが期待できるため、遊技者は積極的に目押し操作を行う傾向にある。
【先行技術文献】
【特許文献】
【０００４】
【特許文献１】特開２００７−２０８５６号公報
【特許文献２】特開２００９−８２３８２号公報
【特許文献３】特許第３５３７６３０号公報
【発明の概要】
【発明が解決しようとする課題】
【０００５】
ところで、従来のスロットマシンにあっては、上述したように、三基の回転リールが横並びで配設されていることから、通常、機台前方で正対する遊技者が中央の回転リールの正面前方に位置し、該中央の回転リールを正視できる。このように正視している場合には、その視線の先に、前記中央の回転リールの特定図柄の強発光窓部を望む点光源がある。これにより、中央の回転リールの回転中に、図柄表示部を通過する特定図柄の強発光窓部が瞬間的に発光することを視認し易く、遊技者が上記目押し操作を行い易い。一方、前記のように機台前方で正対する遊技者が、該正対した位置で左側の回転リールや右側の回転リールを注視する場合には、視線を正面から左方や右方へ動かすこととなる。この場合には、左側や右側の回転リールの特定図柄の強発光窓部に向けた遊技者の視線の先に、該強発光窓部を望む点光源が位置しない。すなわち、遊技者の前記視線の方向と、強発光窓部を瞬間的に比較的強く発光する光の方向とが、比較的大きくずれてしまう。これにより、遊技者は、前記のように図柄表示部を通過する特定図柄の強発光窓部が瞬間的に発する光を捉え難くなることから、機台前方で正対する位置で、左側や右側の回転リールを前記目押し操作することが極めて困難であった。
【０００６】
また、遊技者のなかには、上記した左側の回転リールや右側の回転リールでも、中央の回転リールと同様に目押し操作するために、左側の回転リールを正視できるように当該回転リールの正面前方に頭部を移動したり、右側の回転リールを正視できるように当該回転リールの正面前方に頭部を移動したりするなど、姿勢を比較的大きく変えることを行う者もいた。こうした姿勢の変更は、回転リールを回転する一回の遊技毎に行う必要があることから、遊技者に大きな負担となる。
【０００７】
本発明は、上述した問題点を解決するためのものであって、機台前方で正対する遊技者が視線を移動するだけで、回転リールの特定図柄の強発光窓部を用いた目押し操作を容易かつ安定して行い得る遊技機を提供することを目的とするものである。
【課題を解決するための手段】
【０００８】
本発明は、外周面に複数種類の図柄が列設され、上下方向に回転する一又は複数の回転リールと、前記回転リールの前方に設けられ、該回転リールの図柄を変動表示する図柄表示部と、前記回転リールの内側の、前記図柄表示部と対向する位置に配設され、該図柄表示部で表示される該回転リールの図柄を裏側から照らす一又は複数の点光源と該点光源から発せられた光を反射させて前方へ照射させるリフレクタとを具備するバックライトユニットとを備えた遊技機において、前記回転リールの少なくとも一基が、機台中心線よりも側方に偏倚した所定位置に配設されたものであって、前記回転リールの図柄のなかで一又は複数の図柄が、前記点光源から照射された光を透過する強発光窓部を備えた特定図柄であり、前記偏倚位置の回転リールに配設されたバックライトユニットは、前記図柄表示部で停止表示された前記特定図柄の強発光窓部を臨む位置に、前記点光源が配置されると共に、前記リフレクタ内に、前記点光源とその少なくとも外側で隣合うように設けられ、該点光源から発した光を前記機台中心線側の斜め前方へ反射する、該リフレクタの反射面に比して高い光反射性を有する高反射部を備えていることを特徴とする遊技機である。
【０００９】
ここで、機台中心線としては、機台の横方向の中心を示す上下方向の仮想線として規定される。
また、回転リールの回転方向としては、上から下へ向かう方向、下から上へ向かう方向のいずれか一方のみが定められていても良いし、さらには、これら両者のいずれかを選択的に定めるようにしても良い。そして、複数の回転リールを備えた構成の場合には、全ての回転リールで同じ回転方向としても良いし、他と異なる回転方向の回転リールを備えるようにしても良い。
また、複数の回転リールを備えた構成の場合には、強発光窓部を備えた特定図柄が、少なくとも、偏倚位置の一基の回転リールに設けられていれば良く、全ての回転リールに設けた構成と一部の回転リールに設けた構成とのいずれの構成とすることも可能である。
また、偏倚位置に複数の回転リールを備えた構成の場合には、その全ての回転リールに、高反射部を備えたバックライトユニットが配設される構成だけでなく、該偏倚位置の回転リールの中で少なくとも一基の回転リールに、高反射部を備えたバックライトユニットが配設される構成も含む。
また、複数の点光源を備えた構成の場合には、「強発光窓部を望む位置」に配置される点光源の他に、これと異なる位置に配置された点光源を備えることも可能である。尚、一の点光源を備えた構成の場合には、該点光源が「強発光窓部を望む位置」に配置される。
また、「強発光窓部を望む位置」の点光源と該強発光窓部としては、夫々の寸法形状を相互に関係付けることを必ずしも要せず、全く無関係の寸法形状に設定することも可能である。例えば、強発光窓部が、点光源よりも大きいサイズとしたり、該強発光窓部の形状が、線状や環状などのように該点光源と全く異なる形状に設定することができる。尚ここで、強発光窓部と点光源との形状が異なる場合に、「強発光窓部を望む位置」の点光源は、少なくとも一部分を照らせば良く、必ずしも該強発光窓部の全体を照らす必要が無い。
また、点光源が配置される「特定図柄の強発光窓部を望む位置」としては、例えば、図柄表示部が、回転リールの停止状態で、一基の回転リールの三個の図柄を上下方向に停止表示する位置（上段、中段、下段の各停止位置）を定めたものである構成の場合に（一般的なスロットマシンの構成）、該各停止位置の少なくとも一の位置で停止表示した特定図柄の強発光窓部を望む位置（具体的には、該強発光窓部の真後ろとなる位置）を示す。
また、高反射部は、機台中心線側の斜め前方へ光を反射させるものであれば良く、様々な形状のものを設定可能である。例えば、平面を備えた構成、曲面を備えた構成、凸形状、凹形状等のものを適用できる。
また、「点光源の少なくとも外側」に高反射部を設ける構成としては、該点光源の右側にのみ、該点光源の左側にのみ、左右両側に該高反射部を設ける場合のいずれとすることもできる。さらに、点光源の左右のいずれか一側に高反射部が設けられていれば、該点光源の上下のいずれか一側にのみ、又は上下両側にも高反射部が設けられていても良い。尚、このように点光源の上下左右の複数位置に高反射部を設ける場合には、全て同じ寸法形状の高反射部を設ける構成だけでなく、夫々異なる寸法形状の高反射部を設ける構成としても良い。
また、高反射部の「点光源と隣合う」とは、該高反射部が点光源に接触するように隣接して配設される場合と、該点光源から僅かな間隔をおいた位置に高反射部が配設される場合とのいずれをも含む。
【００１０】
かかる本発明の構成にあって、偏倚位置の回転リールの内側に配設されたバックライトユニットでは、その点光源から発した光を高反射部が斜め前方に反射し、該反射光が、該高反射部の斜め前方で停止または該斜め前方を通過する特定図柄の強発光窓部を介して、機台の斜め前方に照射される。そして、この斜め前方に照射される光は、高反射部がリフレクタの反射面よりも高い光反射性を有していることから、該リフレクタにより反射される光よりも強い。こうしたことから、機台前方で正対する遊技者は、偏倚位置の回転リールに視線を向けることで、該回転リールの特定図柄の強発光窓部を介した前記反射光を比較的容易に捉えることができる。すなわち、高反射部での反射光により比較的強く発光する特定図柄の強発光窓部を、遊技者が捉え易い。したがって、偏倚位置の回転リールの回転中に、遊技者は、機台前方で正対する位置で視線の向きを変えることだけで、特定図柄の強発光窓部による目押し操作を比較的容易かつ安定して行うことが可能である。そして、本発明の構成では、上述した従来構成のように目押し操作のために姿勢を変える必要が無く、該姿勢の変更による遊技者の負担を生じない。
【００１１】
さらに、上述した一般的なスロットマシンにあっては、本発明にかかるバックライトユニットを、三基の回転リールに夫々配設することが可能である。これは、機台中心線から偏倚する左右の回転リールでは、同一構造のバックライトユニットを左右対称に配設することによって構成できることに因る。尚、中央の回転リールでは、高反射部の有無にかかわらず、点光源から発せられる光を、機台に正対する遊技者が捉え易いことから、左右と同一構成のバックライトユニットを適用可能である。このように左右横並びの三基の回転リール全てに、本発明にかかるバックライトユニットを適用できることから、製造コストの抑制に寄与できる。
【００１２】
また、上述した本発明と同じ作用効果を得るために、特定図柄の強発光窓部を望む点光源と隣合うように、さらに別の点光源を設けることも考えられる。しかしながら、別の点光源を配設することは、該点光源の設置個数が増え、これに伴う製造コストの増加を招く。これに対して、本発明の構成では、点光源の増加を必要としないことから、前記製造コストの増加を可及的に抑制することができる。
【００１３】
上述した本発明の遊技機にあって、前記強発光窓部を望む位置に配置された点光源の外側に設けられた高反射部は、所定角度で傾斜するように形成され、リフレクタの反射面に比して高い光反射性を有する高反射面を備えている構成が提案される。
【００１４】
かかる構成によれば、点光源で発した光が高反射部の高反射面で反射して、該反射した光が斜め前方に比較的強く照射される。これにより、上述した本発明の作用効果が安定して生じ得る。
【００１５】
上述した本発明の遊技機にあって、前記高反射面の傾斜角度は、機台前方で正対する遊技者の基準遊技位置と、前記偏倚位置の回転リールの特定図柄の強発光窓部との位置関係に基づいて設定されている構成が提案される。ここで、遊技者の基準遊技位置としては、標準体型の遊技者が、機台前方に設置された椅子に着席した場合に、該遊技者の頭部位置により規定され得る。  
【００１６】
かかる構成にあっては、高反射面の傾斜角度により、該高反射面で反射した光の反射方向を定めることができると共に、基準遊技位置と特定図柄の強発光窓部との位置関係により、機台前方で正対する遊技者が偏倚位置の回転リールに向けた視線の方向を定めることが可能である。これにより、偏倚位置の回転リールに向けた前記視線の方向と、高反射面による光の反射方向とを関係付けることができる。そして、これら両者の方向を合わせれば、遊技者は、頭部を回す等して視線を偏倚位置の回転リールに向けることのみで、高反射面による反射光を、該回転リールの特定図柄の強発光窓部を介して容易かつ安定して捉えることができる。
【００１７】
上述した本発明の遊技機にあって、前記高反射面の傾斜角度は、機台前方で正対する遊技者の基準遊技位置における、正視方向と前記偏倚位置の回転リールの特定図柄の強発光窓部に向けた視線方向とが成す角度に、略一致するように設定されている構成が提案される。ここで、略一致とは、若干ずれていることだけでなく、完全に一致していることをも含む。
【００１８】
かかる構成によれば、基準遊技位置で正対する遊技者が、頭部を回す等によって偏倚位置の回転リールに向けた視線の方向と、高反射面による光の反射方向とを、略一致、又は両者のずれを可及的に小さくできる。これにより、遊技者は、高反射面による反射光を、偏倚位置の回転リールに設けられた特定図柄の強発光窓部を介して一層容易かつ安定して捉えることができる。
【００１９】
上述した本発明の遊技機にあって、前記高反射部は、前記点光源の上下には隣合って設けられていない構成が提案される。
【００２０】
ここで、本発明の構成にあっては、回転リールは上下方向に回転するものであることから、特定図柄の強発光窓部は回転中に点光源の前方を通過する。そのため、機台に正対する遊技者の頭部位置と偏倚位置の回転リールとの高さが異なっていたとしても、特定図柄の強発光窓部を介した発光を、該遊技者は比較的容易に捉えることができる。こうしたことから、点光源の上下に高反射部を設けた場合と設けない場合との両者で、上述した本発明の作用効果に差は生じず、上下に高反射部を設ける必要性は低い。
さらに、点光源から発せられた光の一部が、高反射部で反射されて斜め前方に照射されることから、厳密に言えば、該高反射部で反射させた分だけ、点光源から前方に照射される光の量が低減する。そのため、高反射部の配設場所を限定して、上述した本発明の作用効果が効率的に発揮されることが求められる。
こうしたことから、点光源の上下両側に高反射部を設けない構成とすることによって、バックライトユニットの本来の機能である回転リールの図柄を裏側から照らすことと、上述した本発明の作用効果とがバランス良く発揮され得る。
【００２１】
上述した本発明の遊技機にあって、前記高反射部は、前記点光源の左右両側に夫々隣合って設けられている構成が提案される。
【００２２】
かかる構成によれば、回転リールの配設位置に関わらず、同一構造のバックライトユニットを配設することによって、上述した本発明の作用効果が安定して発揮され得る。そして、同一構成のバックライトユニットを、異なる配設位置の回転リールに適用できることから、該バックライトユニットの製造コストを低減することができる。
【００２３】
例えば、一般的なスロットマシンにあっては、三個の回転リールが横方向で並設されており、その左側の回転リールと右側の回転リールとが、本発明にかかる「機台中心線よりも側方に偏倚した所定位置に配設されたもの」に相当する。これら左側および右側の回転リールの内側に、本構成のバックライトユニットを配設すると、左側の回転リールの場合、点光源の左側に設けられた高反射部で反射された光が特定図柄の強発光窓部を介して機台の斜め前方に照射される一方、右側の回転リールの場合、点光源の右側に設けられた高反射部で反射された光が特定図柄の強発光窓部を介して機台の斜め前方に照射される。したがって、本構成のバックライトユニットは、中央の回転リールを挟んで左右側方に位置する左側の回転リールと右側の回転リールとのいずれに設けても、上述した本発明の作用効果を奏し得る。
【００２４】
上述した本発明の遊技機にあって、前記高反射部が、リフレクタに設けられると共に、前記点光源が、該リフレクタに着脱可能に取り付けられる点光源基板に配設されている構成が提案される。ここで、高反射部は、リフレクタと一体形成しても良いし、別体として形成して該リフレクタに配設するものとしても良い。
【００２５】
かかる構成によれば、高反射面部を備えないリフレクタと、該高反射面部を備えるリフレクタとで、点光源基板を共通で使用することができる。そのため、仮に、高反射面部を備えないリフレクタと、該高反射面部を備えるリフレクタとの両者を配設する遊技機の場合に、共通の点光源基板を配設できることから、該点光源基板の製造コストを削減することができる。また、点光源基板の点光源の配設位置を微調整することによって、高反射部で反射させる光量を調整できるという優れた利点もある。
【００２６】
上述した本発明の遊技機にあって、前記高反射部は、前記リフレクタに一体成形され、前記所定角度で傾斜する傾斜面を備えた隆起部と、該隆起部の傾斜面に形成され、前記高反射面を構成する高反射層とを備えたものである構成が提案される。ここで、高反射層としては、例えば、高い光反射性を有する塗料を塗装してなる構成や、高い光反射性を有するシートを貼付してなる構成などが好適である。
【００２７】
かかる構成にあっては、高反射面の傾斜角度が隆起部の傾斜面により規定され、該隆起部がリフレクタと一体成形されたものであることから、該高反射面の傾斜角度を精度良く形成できる。さらに、高反射部を備えたバックライトユニットの生産性が向上する。
【００２８】
一方、本発明は、外周面に複数種類の図柄が列設され、上下方向に回転する一又は複数の回転リールと、前記回転リールの前方に設けられ、該回転リールの図柄を変動表示する図柄表示部と、前記回転リールの内側の、前記図柄表示部と対向する位置に配設され、該図柄表示部で表示される該回転リールの図柄を裏側から照らす一又は複数の点光源と該点光源から発せられた光を反射させて前方へ照射させるリフレクタとを具備するバックライトユニットとを備えた遊技機において、前記回転リールの少なくとも一基が、機台中心線よりも側方に偏倚した所定位置に配設されたものであって、前記回転リールの図柄のなかで一又は複数の図柄が、前記点光源から照射された光を透過する強発光窓部を備えた特定図柄であり、前記偏倚位置の回転リールに配設されたバックライトユニットは、前記図柄表示部で停止表示された前記特定図柄の強発光窓部を臨む位置に、前記点光源が配置されると共に、前記リフレクタ内に、前記点光源の少なくとも一部を覆うように配設され、該点光源から入射した光を前記機台中心線側の斜め前方へ出射する導光部を備えていることを特徴とする遊技機である。
【００２９】
かかる構成にあっては、導光部によって斜め前方に比較的強い光を照射できることから、機台前方で正対する遊技者は、偏倚位置の回転リールに視線を向けることで、該導光部により導かれた光を、該回転リールの特定図柄の強発光窓部を介して比較的容易かつ安定して捉えることができる。このように、本構成にあっても、上述した高反射部を備えた構成と同様の作用効果を奏し得る。
【００３０】
さらに一方、本発明は、外周面に一又は複数種類の図柄が列設され、左右横方向に回転する一又は複数の回転リールと、前記回転リールの前方に設けられ、該回転リールの図柄を変動表示する図柄表示部と、前記回転リールの内側の、前記図柄表示部と対向する位置に配設され、該図柄表示部で表示される該回転リールの図柄を裏側から照らす一又は複数の点光源と該点光源から発せられた光を反射させて前方へ照射させるリフレクタとを具備するバックライトユニットとを備えた遊技機において、前記回転リールの少なくとも一基が、機台に正対する遊技者の基準視線高さ位置よりも、上方または下方に偏倚した所定位置に配設されたものであって、前記回転リールの図柄のなかで少なくとも一の図柄が、前記点光源から照射された光を透過する強発光窓部を備えた特定図柄であり、前記偏倚位置の回転リールに配設されたバックライトユニットは、前記図柄表示部で停止表示された前記特定図柄の強発光窓部を臨む位置に、前記点光源が配置されると共に、前記リフレクタ内に、前記点光源とその少なくとも上下いずれか一方で隣合うように設けられ、該点光源から発した光を前記基準視線高さ位置側の斜め上方または斜め下方へ反射する、該リフレクタの反射面に比して高い光反射性を有する高反射部を備えていることを特徴とする遊技機である。
【００３１】
ここで、回転リールの回転方向としては、右から左へ向かう方向、左から右へ向かう方向のいずれか一方のみが定められていても良いし、さらには、これら両者のいずれかを選択的に定めるようにしても良い。そして、複数の回転リールを備えた構成の場合には、全ての回転リールで同じ回転方向とする場合に限らず、少なくとも一の回転リールで回転方向が異なるようにすることもできる。
【００３２】
かかる構成にあっては、左右横方向に回転する回転リールが、基準視線高さ位置の上方または下方に設けられた構成であり、この偏倚位置の回転リールの内側に配設されたバックライトユニットでは、高反射部で反射された強い光が斜め上方または斜め下方に照射される。これにより、機台前方で正対する遊技者は、前記偏倚位置の回転リールを視るために上方または下方に視線を向けることで、前記高反射部による反射光を、該回転リールの特定図柄の強発光窓部を介して比較的容易かつ安定して捉えることができる。このように、かかる構成にあっても、上記した上下方向に回転する回転リールを備えた構成と、同様の作用効果を奏し得る。
【発明の効果】
【００３３】
本発明によれば、機台前方で正対する遊技者が、偏倚位置の回転リールに視線を向けるだけで、特定図柄の強発光窓部の発光を比較的容易かつ安定して捉えることができる。これにより、偏倚位置の回転リールの回転中に、遊技者は、姿勢を変更せずに視線を向けるだけで、特定図柄の強発光窓部による瞬間的な発光を視認できることから、該強発光窓部の発光による目押し操作を容易かつ安定して行うことができる。
【図面の簡単な説明】
【００３４】
【図１】本実施例のスロットマシン１の正面図である。
【図２】前扉３を開放した状態のスロットマシン１を示す斜視図である。
【図３】スロットマシン１の制御回路を示すブロック図である。
【図４】リールユニット１０を示す斜視図である。
【図５】リールユニット１０を示す正面図である。
【図６】取付スタンド３１に配設された回転リール９ａを示す側面図である。
【図７】回転リール９ａ，９ｂ，９ｃの図柄配列を示す説明図である。
【図８】（ａ）特定図柄５２ａと、（ｂ）特定図柄５２ｂとを示す拡大図である。
【図９】実施例１のバックライトユニット６０を示す正面図である。
【図１０】図９におけるＭ−Ｍ断面図である。
【図１１】図９におけるＮ−Ｎ断面図である。
【図１２】高反射部７１ａ，７１ｂと、機台前方に正対する遊技者の基準遊技位置Ｓとの関係を示す説明図である。
【図１３】実施例２の、左側の回転リール９ａの内側に配設されるバックライトユニット６０を示す正面図である。
【図１４】図１３におけるＴ−Ｔ断面図である。
【図１５】右側の回転リール９ｃの内側に配設されるバックライトユニット６０を示す正面図である。
【図１６】実施例３のスロットマシン１の正面図である。
【図１７】実施例３のリールユニット１１０を示す正面図である。
【図１８】実施例３のバックライトユニット６０を示す正面図である。
【図１９】実施例３の、高反射部７１ａ，７１ｂと遊技者の基準遊技位置Ｓとの関係を示す説明図である。
【発明を実施するための形態】
【００３５】
本発明の実施例１〜３を添付図面に従って詳述する。尚、本実施例では、機台前方に正対する遊技者から見て、上下左右を定めて説明する。また、本実施例のスロットマシン１が、本発明にかかる遊技機であり、該スロットマシン１自体を一台の機台と言う。
【実施例１】
【００３６】
図１，２に示すように、スロットマシン１の筐体２は前方に開放しており、前方から前扉３によって覆われている。図１に示すように、前扉３の中央部には、筐体２の内部に配設された左側の回転リール９ａ、中央の回転リール９ｂ、および右側の回転リール９ｃを視認するための図柄表示部４が設けられている。そして、図柄表示部４の上方には、横長矩形状の液晶表示装置８が配設される。また、前扉３の前面側には、図柄表示部４の下方に、遊技操作に用いるベットスイッチ５ａ，５ｂ、スタートスイッチ６、左側のストップスイッチ７ａ、中央のストップスイッチ７ｂ、右側のストップスイッチ７ｃなどの各種スイッチが配設される。また、前扉３には、スピーカや演出用ランプが適宜箇所に複数配設される。さらに前扉３の下部には、メダルを払い出すメダル払出口１２と、メダル払出口１２から払い出されるメダルを受け入れるメダル受皿が配設される。
【００３７】
ここで、スロットマシン１（前記一台の機台）にあって、その左右横幅を二分する上下方向の中心線を、機台中心線Ｌとすると、上記の三基の回転リール９ａ，９ｂ，９ｃのなかで、中央の回転リール９ｂが該機台中心線Ｌ上に配置され、左右の回転リール９ａ，９ｃが該機台中心線Ｌから左右側方に夫々偏倚した位置に配置される。また、遊技場では、この機台中心線Ｌの真正面に、遊技者が座る椅子が配設される。そのため、通常、遊技者が遊技を行う場合には、前記椅子に座った状態で、後述のように機台に正対し、中央の回転リール９ｂを正面視する。
【００３８】
筐体２の内部には、図２に示すように、三基の回転リール９ａ，９ｂ，９ｃを備えたリールユニット１０が取り付けられており、該リールユニット１０の上方に、メイン制御基板１４やサブ制御基板１５がケースに収納された状態で設置される。メイン制御基板１４とサブ制御基板１５は、スロットマシン１の制御装置を構成するものであり、基板間を接続する信号線を介してメイン制御基板１４からサブ制御基板１５に一方向にコマンドが送信されるよう構成されている（図３参照）。また、筐体２の内部には、リールユニット１０の下方に、電源投入スイッチを具備する電源ボックス１９や、ホッパーユニット２０が配設される。
【００３９】
上記のリールユニット１０は、図４，５に示すように、各回転リール９ａ，９ｂ，９ｃを夫々支持する三個の取付スタンド３１と、該三個の取付スタンド３１が左右横並びに取り付けられるフレーム３０とを備える。各取付スタンド３１には、ステッピングモータ３４が夫々取り付けられており（図６参照）、各ステッピングモータ３４の回動軸に回転リール９ａ，９ｂ，９ｃが夫々接続されている。ここで、各取付スタンド３１のステッピングモータ３４は、その各回動軸が左右方向で一直線上に列ぶように配設されており、各回転リール９ａ，９ｂ，９ｃの外周面（後述する透光性シート５１の表面）が略面一となっている。尚仮に、こうして複数の回転リールを並設した構成の場合に、その一部の回転リールを、他の回転リールと相対的に傾けて配設すると（各ステッピングモータの回動軸が一直線上にない場合）、該傾けた分だけ余分なスペースを要してしまうことから、一般的なスロットマシンで適用されない。
【００４０】
このように、三基の回転リール９ａ，９ｂ，９ｃは、フレーム３０に左右横方向に並んで備え付けられている。各回転リール９ａ，９ｂ，９ｃに接続された三個のステッピングモータ３４は、上記のメイン制御基板１４に接続されており、該メイン制御基板１４から出力されるリール制御信号に従って駆動制御される。さらに、各取付スタンド３１には、各回転リール９ａ，９ｂ，９ｃの回転角度位置を検知する回転位置センサ３５が夫々配設されており、各回転位置センサ３５が前記メイン制御基板１４に接続されている。メイン制御基板１４は、各回転リール９ａ，９ｂ，９ｃの回転中に、各回転位置センサ３５によって夫々の回転角度位置を検知し、該検知した回転角度位置と、上記した各ストップスイッチ７ａ，７ｂ，７ｃが操作されたタイミングとに基づいて、各回転リール９ａ，９ｂ，９ｃを停止制御する。
【００４１】
各回転リール９ａ，９ｂ，９ｃは、リールフレーム４１と透光性シート５１とから構成されている。リールフレーム４１は、図６に示すように、ステッピングモータ３４の回動軸が接続されるハブ部４２と、当該フレーム４１の外周縁を構成するリム部４３と、該ハブ部４２とリム部４３とを連結する三本のスポーク部４４とを備えている。ここで、リム部４３は、所定間隔をおいて並ぶ二個のリングを連結してなるものであり（図示せず）、一方のリングに前記スポーク部４４が連結されている。こうしたリールフレーム４１のリム部４３に、前記透光性シート５１が取り付けられている。この透光性シート５１は、帯状を成し、その両側端が、前記リム部４３を構成する二個のリングに接着されて、該リム部４３に周回される。
【００４２】
上記のリールフレーム４１は、スポーク部４４が一側に偏って設けられており、各回転リール９ａ，９ａｂ，９ｃの内側に配設されるバックライトユニット６０と該スポーク部４４とが干渉しないようになっている。尚、バックライトユニット６０は、本発明の要部に係るため、その詳細については後述する。
【００４３】
上記の透光性シート５１には、図７のように、複数種類の図柄５２，５２ａ，５２ｂが列設されている。そして、各回転リール９ａ，９ｂ，９ｃの各透光性シート５１には、前記図柄５２，５２ａ，５２ｂが異なる順序で列設されている。これにより、各回転リール９ａ，９ｂ，９ｃの外周面には、前記図柄５２，５２ａ，５２ｂが所定間隔をおいて列ぶ。
【００４４】
透光性シート５１の図柄５２ａ，５２ｂは、図８に示すように、透光性の青色、白色、赤色塗料で夫々印刷した透光性の内域部位５４ａと、非透光性の塗料で囲むように印刷した周縁部位５４ｂとを備えたものであり、透光性の内域部位５４ａが青色の「７」（以下、「青７」という）と白色の「７」（以下、「白７」という）と赤色の「７」（以下、「赤７」という）との三種類が設定されている。そして、「青７」の図柄５２ａと「白７」の図柄５２ａとには、図８（ａ）に示すように、左上部位に、透光性を有する星形の強発光窓部５３ａが設けられており、「赤７」の図柄５２ｂには、図８（ｂ）に示すように、右上部位に、透光性を有する星形の強発光窓部５３ｂが設けられている。これら図柄５２ａ，５２ｂは、その裏面の、前記強発光窓部５３ａ，５３ｂの裏面を除く全域に、白色塗料が印刷されている。これにより、図柄５２ａ，５２ｂでは、裏方から照射された光を、裏面の白色塗料によって拡散させてほぼ均一に透過させることができる。そのため、正面視した場合に、前記内域部位５４ａ，５４ｂ（青色、白色、赤色の「７」）をほぼ均一に面発光しているように見せることができる。また、前記の強発光窓部５３ａ，５３ｂは、所謂チヂミ印刷が施されており、無色透明な場合と同レベルの透光性を有しつつ、該チヂミ印刷によって光輝性が高められている。こうしたことから、強発光窓部５３ａ，５３ｂを備えた図柄５２ａ，５２ｂでは、該強発光窓部５３ａ，５３ｂが他の部位（内域部位５４ａ）に比して強く（明るく）光って見える。尚、これら図柄５２ａ，５２ｂにより、本発明にかかる特定図柄５２ａ，５２ｂが構成されている。
【００４５】
一方、透光性シート５１に設けられた、上記特定図柄５２ａ，５２ｂ以外の図柄５２は、透光性の図柄である。この図柄５２は、所定の絵柄（ベルやチューリップなど）の裏面全域が白色塗料で印刷されている。これにより、図柄５２では、上述した特定図柄５２ａ，５２ｂの内域部位５４ａと同様に、裏方から照射された光を、裏面の白色塗料によって拡散させてほぼ均一に透過させることができるため、ほぼ均一に面発光しているように見せることができる。尚、本実施例では、特定図柄５２ａ，５２ｂを除く他の種類の図柄５２を、全て透光性の図柄としたが、非透光性部位を含む図柄とすることも可能である。
【００４６】
こうした三基の回転リール９ａ，９ｂ，９ｃの図柄５２，５２ａ，５２ｂは、上述した図柄表示部４で表出される。図柄表示部４では、図５のように、各回転リール９ａ，９ｂ，９ｃ毎に、夫々三個の図柄５２，５２ａ，５２ｂが上下方向に列んで表示され、合計で九個の図柄５２，５２ａ，５２ｂが表示され得る。ここで、図柄表示部４には、回転リール９ａ，９ｂ，９ｃの停止状態で、図柄５２，５２ａ，５２ｂを停止表示する位置として、上段停止位置、中段停止位置、および下段停止位置が定められている。すなわち、図柄表示部４では、その上段、中段、下段の各停止位置に、各回転リール９ａ，９ｂ，９ｃの図柄５２，５２ａ，５２ｂが各一個づつ並んで表示される。このように九個の図柄５２，５２ａ，５２ｂを表示する図柄表示部４では、予め有効ラインが設定されており、該有効ラインで停止表示された図柄５２，５２ａ，５２ｂの組合せによって、所定の役が成立したか否かが判定される。尚、有効ラインは様々に設定可能であり、本実施例では、中段停止位置で横方向に並ぶラインを、有効ラインＷとして設定している。
【００４７】
上述したスロットマシン１では、回転リール９ａ，９ｂ，９ｃを回転させて図柄５２，５２ａ，５２ｂを変動表示させた後に、各回転リール９ａ，９ｂ，９ｃを停止させて該図柄５２，５２ａ，５２ｂを図柄表示部４の有効ライン上に停止表示させるゲーム（単位遊技）が繰り返し実行される。具体的には、一回のゲームは、（１）ゲーム開始に必要な枚数のメダル投入、（２）スタートスイッチ６の操作、（３）回転リール９ａ，９ｂ，９ｃの回転、（４）ストップスイッチ７ａ，７ｂ，７ｃの操作、（５）回転リール９ａ，９ｂ，９ｃの停止、（６）有効ライン上の図柄５２，５２ａ，５２ｂの組合せに基づく役判定処理、（７）メダルの払い出し、の順序で行われる。尚、こうした一回のゲームにおける制御処理については、一般的なスロットマシンと同様に実施できることから、その詳細については省略する。
【００４８】
次に、本発明の要部にかかるバックライトユニット６０を説明する。
バックライトユニット６０は、各回転リール９ａ，９ｂ，９ｃの内側で、該各回転リール９ａ，９ｂ，９ｃの各透光性シート５１を介して上記図柄表示部４に対向する位置に、夫々配設されている。ここで、各バックライトユニット６０は、回転リール９ａ，９ｂ，９ｃの透光性シート５１の裏面に近接するように、上記のリールフレーム４１に夫々固定されている（図６参照）。すなわち、回転リール９ａ，９ｂ，９ｃと同数（三個）のバックライトユニット６０が、リールユニット１０に配設されている。バックライトユニット６０は、図９〜図１１のように、前方（透光性シート５１側）に開口する箱状のリフレクタ室６４ａ，６４ｂ，６４ｃが上下方向に三個並んで設けられたハウジング６１と、該ハウジング６１の背面に配設されたＬＥＤ基板６２とを備える。
【００４９】
各バックライトユニット６０は、夫々のリフレクタ室６４ａ，６４ｂ，６４ｃが、図柄表示部４で上下方向に列んで停止表示される三個の図柄５２，５２ａ，５２ｂを夫々背方から望むように、各回転リール９ａ，９ｂ，９ｃの内側に配設される。すなわち、上記した図柄表示部４の上段停止位置の真後ろに、上側のリフレクタ室６４ａが位置し、該図柄表示部４の中段停止位置の真後ろに、中央のリフレクタ６４ｂが位置し、該図柄表示部４の下段停止位置の真後ろに、下側のリフレクタ６４ｃが位置するように、バックライトユニット６０が配設されている。
【００５０】
ハウジング６１は、上下方向に長尺な略長方形状の奥壁部６５と、該奥壁部６５の左右側縁から前方に立設された略台形状の側壁部６８，６８と、該奥壁部６５の上縁から前方に立設された上壁部６６と、該奥壁部６５の下縁から前方に立設された下壁部６７とを備え、さらに、上壁部６６と下壁部６７との間に、等間隔で二枚の区画壁部６９，６９が立設されている。そして、上壁部６６と上側の区画壁部６９と側壁部６８，６８と奥壁部６５とにより、上側のリフレクタ室６４ａが画成され、上下の区画壁部６９，６９と側壁部６８，６８と奥壁部６５とにより、中央のリフレクタ室６４ｂが画成され、下壁部６７と下側の区画壁部６９と側壁部６８，６８と奥壁部６５とにより、下側のリフレクタ室６４ｃが画成される。また、上壁部６６の内壁面が上方に傾斜し、側壁部６８，６８の左右の内壁面が夫々外方に傾斜し、下壁部６７の内壁面が下方に傾斜する。さらに、各区画壁部６９，６９は、上側の内壁面が下方に傾斜し且つ下側の内壁面が上方に傾斜しており、断面略台形状となっている。このように各リフレクタ室６４ａ，６４ｂ，６４ｃの上下左右の内壁面が傾斜しており、該各リフレクタ室６４ａ，６４ｂ，６４ｃは、前方に拡開し、略長方形状の開口を有する形状を成す。
【００５１】
リフレクタ室６４ａ，６４ｂ，６４ｃを構成するハウジング６１は、白系色の樹脂素材により一体成型されたものであり、奥壁部６５、上壁部６６、下壁部６７、側壁部６８，８６、および区画壁部６９，６９の各内壁面が該白系色となっており、該各内壁面の光反射性が高い。すなわち、各リフレクタ室６４ａ，６４ｂ，６４ｃが、本発明にかかるリフレクタを構成し、前記した各内壁面が、本発明にかかるリフレクタの反射面を構成する。
【００５２】
また、奥壁部６５には、各リフレクタ室６４ａ，６４ｂ，６４ｃを夫々構成する長方形状の上部、中部、下部に、それぞれ五個の貫通孔７０ａ〜７０ｅが形成されている。五個の貫通孔７０ａ〜７０ｅは、各リフレクタ室６４ａ，６４ｂ，６４ｃ毎で、夫々対応する同じ位置に設けられている。夫々の貫通孔７０ａは、各リフレクタ室６４ａ，６４ｂ，６４ｃを構成する奥壁部６５の前記上部、中部、下部の中心部位に設けられており、夫々の貫通孔７０ｂ〜７０ｅは、該貫通孔７０ａの左右両側の上下に夫々列んで設けられている。これら貫通孔７０ａ〜７０ｅは、奥壁部６５を前後方向に貫通する矩形状に形成される。ここで、左上部位の貫通孔７０ｂは、上記した図柄表示部４の上段、中段、下段の各停止位置で停止表示した特定図柄５２ａの強発光窓部５３ａを、その背方から望む位置に設けられている。すなわち、貫通孔７０ｂは、前記各停止位置で停止表示した「青７」又は「白７」の特定図柄５２ａの強発光窓部５３ａの真後ろに位置する（図８（ａ）参照）。同様に、右上部位の貫通孔７０ｄは、図柄表示部４の上段、中段、下段の各停止位置で停止表示した特定図柄５２ｂの強発光窓部５３ｂを、その背方から望む位置に設けられている。すなわち、貫通孔７０ｄは、前記各停止位置で停止表示した「赤７」の特定図柄５２ｂの強発光窓部５３ｂの真後ろに位置する（図８（ｂ）参照）。さらに、左下部位の貫通孔７０ｃは、上記した左上部位の貫通孔７０ｂの直下に位置し、回転リール９ａ，９ｂ，９ｃの回転中における、前記特定図柄５２ａの強発光窓部５３ａの周回軌道の真後ろにある。これにより、回転リール９ａ，９ｂ，９ｃの回転中に、前記「青７」又は「白７」の特定図柄５２ａの強発光窓部５３ａが、前記貫通孔７０ｃの直前を通過する。同様に、右下部位の貫通孔７０ｅは、上記した右上部位の貫通孔７０ｄの直下に位置し、回転リール９ａ，９ｂ，９ｃの回転中における、前記特定図柄５２ｂの強発光窓部５３ｂの周回軌道の真後ろにある。これにより、回転リール９ａ，９ｂ，９ｃの回転中に、前記「赤７」の特定図柄５２ｂの強発光窓部５３ｂが、前記貫通孔７０ｃの直前を通過する。
【００５３】
こうした五個の貫通孔７０ａ〜７０ｅは、図１０，１１のように、上記したＬＥＤ基板６２に配設されたＬＥＤ７９を前方に露出させるものであり、該ＬＥＤ基板６２が、ハウジング６１を構成する奥壁部６５の背面に取り付けられた状態で、各ＬＥＤ７９から発せられた光がリフレクタ室６４ａ，６４ｂ，６４ｃの前方に向かって照射される。尚、本実施例のＬＥＤ７９により、本発明にかかる点光源が構成され、ＬＥＤ基板６２により、本発明にかかる点光源基板が構成される。
【００５４】
ＬＥＤ基板６２は、その基板上の、上記リフレクタ室６４ａ，６４ｂ，６４ｃの各貫通孔７０ａ〜７０ｅに夫々対向する位置に、ＬＥＤ７９が夫々配設されており、上述したように、ハウジング６１を構成する奥壁部６５の背面に取り付けられた状態で、各ＬＥＤ７９が該各貫通孔７０ａ〜７０ｅから前方に露出する。このＬＥＤ基板６２は、各ＬＥＤ７９を発光制御する基板回路を構成するものであり、上記したサブ制御基板１５と所定の信号線を介して接続されている（図３参照）。そして、サブ制御基板１５から出力される発光制御信号に従って各ＬＥＤ７９の発光制御を行う。
【００５５】
一方、上記リフレクタ室６４ａ，６４ｂ，６４ｃには、図９〜図１１のように、中心部位の貫通孔７０ａを除く他の貫通孔７０ｂ〜７０ｅの左右両側に、各貫通孔７０ｂ〜７０ｅと隣接する高反射部７１ａ，７１ｂが夫々設けられている。各貫通孔７０ｂ〜７０ｅの左側に隣接された高反射部７１ａは、前方へ突出する隆起部７２ａと、該隆起部７２ａに形成された高反射層７４ａとから構成される。ここで、隆起部７２ａは、その右側斜面に、所定角度αで傾斜する傾斜面７３ａを備え、該傾斜面７３ａに前記高反射層７４ａが形成されている。高反射層７４ａは、高い光反射性を有する光反射シートを、前記傾斜面７３ａに貼付することにより構成される。この光反射シートは、鏡のように金属光沢を持つものであり、上記したリフレクタ室６４ａ〜６４ｃの白系色に比して高い光反射性を有する。こうして隆起部７２ａの傾斜面７３ａに形成された高反射層７４ａにより、リフレクタ室６４ａ〜６４ｃの壁内面（反射面）よりも高い光反射性を有する高反射面７４ａが構成される。また、各貫通孔７０ｂ〜７０ｅの右側に隣接された高反射部７１ｂは、前記した左側の高反射部７１ａと左右対称に設けられる。すなわち、隆起部７２ｂが、その左側斜面に、所定角度αで傾斜する傾斜面７３ｂを備え、該傾斜面７３ｂに高反射層７４ｂが形成される。高反射層７４ｂは、前記光反射シートを貼付して構成されるものであり、該高反射層７４ｂにより、リフレクタ室６４ａ〜６４ｃの壁内面よりも高い光反射性を有する高反射面７４ｂが構成される。
【００５６】
高反射面７４ａ，７４ｂの傾斜角度は、隆起部７２ａ，７２ｂの傾斜面７３ａ，７３ｂの傾斜角度αである。そして、この傾斜角度αは、機台前方で正対する遊技者の基準遊技位置Ｓと、左側の回転リール９ａの停止状態で図柄表示部４で停止表示される特定図柄５２ａ，５２ｂの各強発光窓部５３ａ，５３ｂとの位置関係に基づいて設定される。尚、左右の回転リール９ａ，９ｃの位置関係は左右対称であることから、前記の傾斜角度αは、前記基準遊技位置Ｓと、右側の回転リール９ｃの停止状態で図柄表示部４で停止表示される特定図柄５２ａ，５２ｂの強発光窓部５３ａ，５３ｂとの位置関係に基づいても、同様に設定され得る。
【００５７】
すなわち、図１２のように、機台に正対する標準体型の遊技者にあって、上記の基準遊技位置Ｓで該遊技者の正面に位置する中央の回転リール９ｂを正視する方向を正視方向Ｆとする。そして、基準遊技位置Ｓで遊技者が、図柄表示部４で停止表示された左側の回転リール９ａの特定図柄５２ａの強発光窓部５３ａに向けた視線の方向を、左向き視線方向Ｈａとする。上記の傾斜角度αを、前記正視方向Ｆと左向き視線方向Ｈａとが成す角度θと、一致するように設定する。ここで、図柄表示部４で停止表示された左側の回転リール９ａに向ける視線方向にあって、特定図柄（「青７」又は「白７」）５２ａの強発光窓部５３ａに向けた前記左向き視線方向Ｈａと、特定図柄（「赤７」）５２ｂの強発光窓部５３ｂに向けた視線方向とは、厳密には異なる。しかし、これら視線方向のうちで、前記正視方向Ｆからのずれ（角度）が大きい視線方向は、機台中心線Ｌから離れた特定図柄５２ａの強発光窓部５３ａへ向けた視線方向Ｈａである。さらに、これら視線方向の差は極僅かであり、頭や目をほとんど動かさずに両方の強発光窓部５３ａ，５３ｂを視界に捉えることが可能である。これらを考慮すれば、左側の回転リール９ａに向ける視線方向を、前記左向き視線方向Ｈａとして設定し、前記角度θにより傾斜角度αを定めることによって、その視線の先に、前記強発光窓部５３ａの奥の高反射面７４ａと、前記強発光窓部５３ｂの奥の高反射面７４ａとが位置する。すなわち、傾斜角度αの設定には、前記左向き視線方向Ｈａを用いることで十分と言える。一方、これは、中央の回転リール９ｂに正対した状態で、正視方向Ｆに対して、該回転リール９ｂの特定図柄５２ａの強発光窓部５３ａと特定図柄５２ｂの強発光窓部５３ｂとが左右横方向で多少ずれているにも関わらず、基準遊技位置Ｓから両方の強発光窓部５３ａ，５３ｂが強く発光して見えることからも、明らかである。尚、右側の回転リール９ｃは、上述したように左側の回転リール９ａと左右対称であることから、右側の回転リール９ｃに向けた右向き視線方向Ｈｂについても、前記と同様に考えられ、該右向き視線方向Ｈｂからも同じ傾斜角度αが設定される。
【００５８】
このように高反射面７４ａ，７４ｂの傾斜角度αを設定することにより、左側の回転リール９ａの内側に配設されたバックライトユニット６０の高反射面７４ａ，７４ｂは、上記の左向き視線方向Ｈａと略直交するように形成される。同様に、右側の回転リール９ｃの内側に配設されたバックライトユニット６０の高反射面７４ａ，７４ｂは、上記の右向き視線方向Ｈｂと略直交するように形成される。
【００５９】
尚、リフレクタ室６４ａ，６４ｂ，６４ｃには、全て同じ高反射部７１ａ、７１ｂが設けられることから、左右の回転リール９ａ，９ｃに、同じ形状のハウジング６１を使用できる。さらに、中央の回転リール９ｂにも、同じ形状のハウジング６１を適用可能であることから、三基の回転リール９ａ〜９ｃに全て同じ形態のハウジング６１を配設できる。
【００６０】
上記の高反射部７１ａ，７１ｂは、その高反射面７４ａ，７４ｂにより、貫通孔７０ｂ〜７０ｄで露出した各ＬＥＤ７９から発した光を、該傾斜角度αと直交する方向に強く反射する。これは、高反射面７４ａ，７４ｂが、上述のように、リフレクタ室６４ａ〜６４ｃの白系色に比して高い光反射性を有することに因る。そして、左側の回転リール９ａに配設したリフレクタ室６４ａ，６４ｂ，６４ｃにおける、貫通孔７０ｂ〜７０ｄの左隣に位置する夫々の高反射面７４ａによる光の反射方向は、上述した左向き視線方向Ｈａと略一致する。これにより、遊技者は、図柄表示部４で左側の回転リール９ａの特定図柄５２ａ，５２ｂの強発光窓部５３ａ，５３ｂを介して発せられる前記高反射面７４ａによる反射光を、容易かつ安定して捉えることができる。また、同様に、右側の回転リール９ｃに配設したリフレクタ室６４ａ，６４ｂ，６４ｃにおける、貫通孔７０ｂ〜７０ｄの右隣に位置する夫々の高反射面７４ｂによる光の反射方向は、上述した右向き視線方向Ｈｂと略一致する。これにより、遊技者は、図柄表示部４で右側の回転リール９ｃの特定図柄５２ａ，５２ｂの強発光窓部５３ａ，５３ｂを介して発せられる前記高反射面７４ｂによる反射光を、容易かつ安定して捉えることができる。
【００６１】
こうしたことから、左側の回転リール９ａが回転している状態では、図柄表示部４を通過する「青７」又は「白７」特定図柄５２ａの強発光窓部５３ａから、上記の左向き視線方向Ｈａに、瞬間的に強い光が発せられると共に、図柄表示部４を通過する「赤７」特定図柄５２ｂの強発光窓部５３ｂからも、該左向き視線方向Ｈａに、瞬間的に強い光が発せられる。これら強い光は、「青７」又は「白７」特定図柄５２ａの強発光窓部５３ａが、リフレクタ室６４ａ，６４ｂ，６４ｃの各貫通孔７０ｂ，７０ｃを順に通過する毎に、および「赤７」特定図柄５２ｂの強発光窓部５３ｂが、リフレクタ室６４ａ，６４ｂ，６４ｃの各貫通孔７０ｄ，７０ｅを順に通過する毎に生ずる。これにより、左側の回転リール９ａが回転している状態で、機台に正対する遊技者が、図柄表示部４で変動表示する該左側の回転リール９ａに視線を向けることにより、「青７」又は「白７」特定図柄５２ａの強発光窓部５３ａが瞬間的に強く発光すること、および「赤７」特定図柄５２ｂの強発光窓部５３ｂが瞬間的に強く発光することを、容易かつ安定して視認可能である。
同様に、右側の回転リール９ｃが回転している状態では、「青７」又は「白７」特定図柄５２ａの強発光窓部５３ａが、リフレクタ室６４ａ，６４ｂ，６４ｃの各貫通孔７０ｂ，７０ｃを順に通過する毎に、瞬間的に強く発光すると共に、「赤７」特定図柄５２ｂの強発光窓部５３ｂが、リフレクタ室６４ａ，６４ｂ，６４ｃの各貫通孔７０ｄ，７０ｅを順に通過する毎に、瞬間的に強く発光する。これにより、右側の回転リール９ｃが回転している状態で、機台に正対する遊技者が、図柄表示部４で変動表示する該右側の回転リール９ｃに視線を向けることにより、「青７」又は「白７」特定図柄５２ａの強発光窓部５３ａが瞬間的に強く発光すること、および「赤７」特定図柄５２ｂの強発光窓部５３ｂが瞬間的に強く発光することを、容易かつ安定して視認可能である。
【００６２】
尚、中央の回転リール９ｂにあっては、リフレクタ室６４ａ，６４ｂ，６４ｃの各貫通孔７０ｂ，７０ｄが、図柄表示部４で停止表示する各特定図柄５２ａ，５２ｂの強発光窓部５３ａ，５３ｂを望む位置に設けられていることから、該貫通孔７０ｂ，７０ｄで露出するＬＥＤ７９から発した光が、該強発光窓部５３ａ，５３ｂを介して前方へ強く進行する。すなわち、図柄表示部４で中央の回転リール９ｂの特定図柄５２ａ，５２ｂの強発光窓部５３ａ，５３ｂを介して発せられる光の方向が、上記した正視方向と略一致する。さらに、貫通孔７０ｃは、回転リール９ｂの回転中における、前記特定図柄５２ａの強発光窓部５３ａの周回軌道の真後ろにあると共に、貫通孔７０ｅは、該回転リール９ｂの回転中における、前記特定図柄５２ｂの強発光窓部５３ｂの周回軌道の真後ろにある。こうしたことから、中央の回転リール９ｂが回転している状態では、「青７」又は「白７」特定図柄５２ａの強発光窓部５３ａが、リフレクタ室６４ａ，６４ｂ，６４ｃの各貫通孔７０ｂ，７０ｃを順に通過する毎に、瞬間的に強く発光すると共に、「赤７」特定図柄５２ｂの強発光窓部５３ｂが、リフレクタ室６４ａ，６４ｂ，６４ｃの各貫通孔７０ｄ，７０ｅを順に通過する毎に、瞬間的に強く発光する。そのため、遊技者は、機台に正対し且つ正面に視線を向けた状態で、中央の回転リール９ｂの回転中に、「青７」又は「白７」特定図柄５２ａの強発光窓部５３ａが瞬間的に強く発光すること、および「赤７」特定図柄５２ｂの強発光窓部５３ｂが瞬間的に強く発光することを、容易かつ安定して視認可能である。
【００６３】
上述したように、遊技者は、機台に正対した状態で、姿勢を変えずに視線を、図柄表示部４で変動表示する左側の回転リール９ａに向けることによって、「青７」又は「白７」特定図柄５２ａの強発光窓部５３ａと「赤７」特定図柄５２ｂの強発光窓部５３ｂとにおける瞬間的な強い発光を比較的容易且つ安定して捉えることができるため、該発光を参考にして該左側の回転リール９ａの目押し操作を容易かつ安定して行うことができる。同様に、機台に正対した状態で、姿勢を変えずに視線を、図柄表示部４で変動表示する右側の回転リール９ｃに向けることによって、「赤７」特定図柄５２ｂの強発光窓部５３ｂと「青７」又は「白７」特定図柄５２ａの強発光窓部５３ａとにおける瞬間的な強い発光を比較的容易且つ安定して捉えることができるため、該発光を参考にして該右側の回転リール９ｃの目押し操作を容易かつ安定して行うことができる。さらに、機台に正対して正面視すれば、図柄表示部４で変動表示する中央の回転リール９ｂについて、前記特定図柄５２ａ，５２ｂの強発光窓部５３ａ，５３ｂの発光を参考にして目押し操作を容易かつ安定して行うことができる。このように遊技者は、図柄表示部４で変動表示中（回転中）の回転リール９ａ，９ｂ，９ｃを順次停止する際に、機台に正対した状態で、姿勢を変えずに視線を各回転リール９ａ，９ｂ，９ｃに向けることによって、特定図柄５２ａ，５２ｂの強発光窓部５３ａ，５３ｂの発光による目押し操作を容易に行い得る。これにより、上述した従来構成のように、目押し操作のために姿勢を変えるなどの負担が生じず、目押し操作という遊技が本来有する興趣性が安定して発揮され得る。
【００６４】
また、バックライトユニット６０は、図柄表示部４の上段、中段、下段の各停止位置に夫々対応する上中下のリフレクタ室６４ａ，６４ｂ，６４ｃに、上記のように貫通孔７０ｂ〜７０ｅと高反射部７１ａ，７１ｂとが夫々設けられている。そのため、回転リール９ａ，９ｂ，９ｃの回転中に、上中下のリフレクタ室６４ａ，６４ｂ，６４ｃの各貫通孔７０ｂ〜７０ｅの直前方を、特定図柄５２ａ，５２ｂの強発光窓部５３ａ，５３ｂが通過する位置は、高さ方向（上下方向）で異なる。このように特定図柄５２ａ，５２ｂの強発光窓部５３ａ，５３ｂが通過する高さ位置が異なっていても、回転リール９ａ，９ｂ，９ｃは上下方向に回転するものであることから、機台に正対する遊技者は、図柄表示部４で変動表示される各回転リール９ａ，９ｂ，９ｃに視線を向けることで、上述のように、特定図柄５２ａ，５２ｂの強発光窓部５３ａ，５３ｂを介した発光を比較的容易かつ安定して捉えることができる。こうしたことから、本実施例では、高反射部７１ａ，７１ｂを、貫通孔７０ｂ〜７０ｅの左右両側にのみ設けることで、上述した目押し操作を行い易いという作用効果が十分に発揮され得る。尚仮に、高反射部を、貫通孔７０ｂ〜７０ｅの上下に配設したとしても、前記作用効果に差が生じず、その必要性は低い。さらに、仮に、貫通孔７０ｂ〜７０ｅの上下にも高反射部を配設した場合には、この上下の高反射部でもＬＥＤ７９の光が反射され、斜め前方へ反射される。そのため、厳密に言えば、上下の高反射部で反射された分だけ、ＬＥＤ７９から前方に照射される光の量が減少してしまう。したがって、本実施例では、貫通孔７０ｂ〜７０ｅの左右両側にのみ高反射部７１ａ，７１ｂを配設し、バックライトユニット６０の本来の機能と、上述した作用効果とがバランス良く発揮されるようにしている。
【００６５】
また、本実施例では、左右に並設された三基の回転リール９ａ，９ｂ，９ｃに、同一構造のバックライトユニット６０を配設できる。そのため、バックライトユニット６０の製造コストを低減することができる。
【００６６】
また、本実施例では、高反射部７１ａ，７１ｂをハウジング６１と一体成型したものであるから、該高反射部７１，７１ｂの傾斜面７３ａ，７３ｂを所定の傾斜角度αで精度良く成形できる。そのため、高反射面７４ａ，７４ｂの傾斜角度を高精度で形成でき得る。さらに、前記一体成型によって、ハウジング６１の生産性が向上できる。
【実施例２】
【００６７】
実施例２は、図１３〜図１５に示すように、ハウジング６１の各リフレクタ室６４ａ，６４ｂ，６４ｃに四個の導光部８１が夫々配設されたバックライトユニット６０を備えたものである。実施例２は、上述した実施例１の高反射部を備えず、該高反射部に代えて前記導光部８１を備えたものである。尚、本実施例２の構成は、高反射部に代えて導光部８１を設けた以外は上述の実施例１と同じであることから、同じ構成要素には同じ符号を記し、その説明を省略する。
【００６８】
導光部８１は、ハウジング６１と別部材として成形され、各貫通孔７０ｂ〜７０ｅを前方から部分的に覆うように、該ハウジング６１に夫々取り付けられる。ここで、左側の回転リール９ａの内側に配設されるバックライトユニット６０の場合、図１３，１４のように、各リフレクタ室６４ａ，６４ｂ，６４ｃには、貫通孔７０ｂ〜７０ｅの左部を部分的に覆うように該貫通孔７０ｂ〜７０ｅの左側に、導光部８１が夫々設けられる。導光部８１は、上記した実施例１の高反射面７５ａと同じ傾斜角度αで左方へ傾斜する出射面８２と、貫通孔７０ｂ〜７０ｅから露出するＬＥＤ７９に対向する入射面８３とを備え、該ＬＥＤ７９から発せられた光を、該入射面８３から入射して該出射面８２から、前記傾斜角度αと直交する方向に出射する。こうした導光部８１は、前記のように、ハウジング６１と別部材であり、例えば、透明なアクリル素材から形成される。そして、この導光部８１は、前記の出射面８２と入射面８３とを除く表面が白色または銀色で塗装されている。そして、この導光部８１を、ハウジング６１に、各貫通孔７０ｂ〜７０ｅの左部分を覆うように且つ出射面８２が傾斜角度αとなるように夫々取り付ける。これにより、バックライトユニット６０では、ＬＥＤ７９から発せられた光が、導光部８１の入射面８３に入射して出射面８２へ導光されて、該出射面８２と直交する方向に出射される。
【００６９】
尚ここで、左側の回転リール９ａの内側に配設されるバックライトユニット６０では、貫通孔７０ｂ〜７０ｅの左側が、本発明の外側に相当する。また、各リフレクタ室６４ａ〜６４ｃの中央に夫々設けられた貫通孔７０ａには、導光部８１を取り付けていない。
【００７０】
この導光部８１から出射された光の方向は、上述した実施例１で示した左向き視線方向Ｈａと略一致する。そのため、左側の回転リール９ａが回転している状態では、「青７」又は「白７」特定図柄５２ａの強発光窓部５３ａが、リフレクタ室６４ａ，６４ｂ，６４ｃの各貫通孔７０ｂ、７０ｃを順に通過する毎に、該強発光窓部５３ａから上記の左向き視線方向Ｈａに、瞬間的に強い光が発せられる。同様に、「赤７」特定図柄５２ｂの強発光窓部５３ｂが、リフレクタ室６４ａ，６４ｂ，６４ｃの各貫通孔７０ｄ、７０ｅを順に通過する毎に、該強発光窓部５３ｂから上記の左向き視線方向Ｈａに、瞬間的に強い光が発せられる。これにより、機台に正対する遊技者は、図柄表示部４で変動表示する該左側の回転リール９ａに視線を向けることによって、前記した特定図柄５２ａ，５２ｂの強発光窓部５３ａ，５３ｂにおける瞬間的な発光を、容易かつ安定して捉えることができる。
【００７１】
一方、右側の回転リール９ｃの内側に配設されるバックライトユニット６０では、図１５のように、各リフレクタ室６４ａ，６４ｂ，６４ｃに、上記の導光部８１が、左側の回転リール９ａの場合と左右対称となるように夫々設けられる。すなわち、左側の回転リール９ａの内側に配設されるものと同じ構造のバックライトユニット６０が、左右逆向きで、右側の回転リール９ｃの内側に配設される。この場合、各リフレクタ室６４ａ，６４ｂ，６４ｃでは、各導光部８１が、貫通孔７０ｂ〜７０ｅの右部を部分的に覆い、出射面８２が傾斜角度αで右方へ傾斜する。これにより、各導光部８１は、ＬＥＤ７９から発せられた光を、出射面８２から、該出射面８２の傾斜角度αと直交する方向に出射することから、右側の回転リール９ｃが回転している状態では、「青７」又は「白７」特定図柄５２ａの強発光窓部５３ａが、リフレクタ室６４ａ，６４ｂ，６４ｃの各貫通孔７０ｂ、７０ｃを順に通過する毎に、該強発光窓部５３ａから上記の右向き視線方向Ｈｂに、瞬間的に強い光が発せられる。同様に、「赤７」特定図柄５２ｂの強発光窓部５３ｂが、リフレクタ室６４ａ，６４ｂ，６４ｃの各貫通孔７０ｄ、７０ｅを順に通過する毎に、該強発光窓部５３ａから上記の右向き視線方向Ｈｂに、瞬間的に強い光が発せられる。これにより、機台に正対する遊技者は、図柄表示部４で変動表示する該右側の回転リール９ｃに視線を向けることによって、前記した特定図柄５２ａ，５２ｂの強発光窓部５３ａ，５３ｂによる瞬間的な発光を、容易かつ安定して捉えることができる。
【００７２】
尚ここで、右側の回転リール９ｃの内側に配設されるバックライトユニット６０では、貫通孔７０ｂ〜７０ｅの右側が、本発明の外側に相当する。また、上記した左側の回転リール９ｃに配設する場合と同様に、各リフレクタ室６４ａ〜６４ｃの中央に夫々設けられた貫通孔７０ａには、導光部８１を取り付けていない。
【００７３】
中央の回転リール９ｂでは、上述した実施例１と同様に、該中央の回転リール９ｂの内側に配設されたリフレクタ室６４ａ〜６４ｃの貫通孔７０ｂ〜７０ｅで露出する各ＬＥＤ７９から発せられた光の方向が、上記した正視方向Ｆと略一致する（図１２参照）。そのため、中央の回転リール９ｂが回転している状態で、図柄表示部４で変動表示する特定図柄５２ａ，５２ｂの強発光窓部５３ａ，５３ｂが、該中央の回転リール９ｂのリフレクタ室６４ａ〜６４ｃの各貫通孔７０ｂ〜７０ｅの前方を通過する毎に、瞬間的に強く発光し、正面視する遊技者は、これを容易かつ安定して捉えることがする。
【００７４】
このように実施例２の構成にあっても、上述した実施例１と同様に、遊技者は、機台に正対した状態で、姿勢を変えずに視線を左側または右側の回転リール９ａ，９ｃに向けることによって、特定図柄５２ａ，５２ｂの強発光窓部５３ａ，５３ｂによる瞬間的な発光を比較的容易かつ安定して捉えることができ、目押し操作を行うことができる。このように実施例２によれば、上述した実施例１と同様の作用効果を奏し得る。但し、上述した実施例１の構成では、貫通孔７０ｂ〜７０ｅの左右両側に高反射部７１ａ，７１ｂを備えている構成としたことに対して、実施例２の構成では、左側の回転リール９ａの内側に配設されるバックライトユニット６０には貫通孔７０ｂ〜７０ｅの左側にのみ導光部８１が夫々配設されると共に、右側の回転リール９ｃの内側に配設されるバックライトユニット６０には貫通孔７０ｂ〜７０ｅの右側にのみ導光部８１が夫々配設される。そのため、実施例２の構成では、バックライトユニット６０を左側の回転リール９ａの内側に配設する場合と、右側の回転リール９ｃの内側に配設する場合とで、少なくともリフレクタ室６４ａ〜６４ｃを反転させることによって、同一の構造のバックライトユニット６０を適用できる。
【００７５】
尚、実施例２の構成は、以下の構成要件を備えたものと言える。
（１）バックライトユニットは、リフレクタ内に、強発光窓部を望む位置に配置された点光源とその外側に隣合うように設けられた導光部を備えている。
（２）前記強発光窓部を望む位置に配置された点光源の外側に設けられた（該点光源の少なくとも一部を覆うように配設された）導光部は、
該点光源に対向するように形成され、該点光源から発した光を入射する入射面と、
所定角度で傾斜するように形成され、該入射面から入射した光を出射する出射面と
を備えている。
（３）前記導光部の出射面の傾斜角度は、機台前方で正対する遊技者の基準遊技位置と、前記偏倚位置の回転リールの特定図柄の強発光窓部との位置関係に基づいて設定されている。
（４）又は、前記導光部の出射面の傾斜角度は、機台前方で正対する遊技者の基準遊技位置における、正視方向と前記偏倚位置の回転リールの特定図柄の強発光窓部に向けた視線方向とが成す角度に、略一致するように設定されている。
（５）前記導光部は、前記点光源の上下には隣合って設けられていない。
（６）前記導光部が、リフレクタに設けられると共に、前記点光源が、該リフレクタに着脱可能に取り付けられる点光源基板に配設されている。
（７）実施例２は、導光部が点光源の外側にのみ設けられた構成であるが、これと別の構成として、導光部は、前記点光源の左右両側に夫々隣合って設けられている構成とすることもできる。
【００７６】
こうした（２）〜（７）の各構成要件における作用効果を以下に説明する。
上記（２）の作用効果としては、点光源で発した光が、導光部により斜め前方に向けて導光され、リフレクタに比して強く照射される。
上記（３）の作用効果としては、出射面の傾斜角度により、該出射面で出射した光の方向を定めることができると共に、基準遊技位置と特定図柄の強発光窓部との位置関係により、機台前方で正対する遊技者が偏倚位置の回転リールに向けた視線の方向を定めることが可能である。これにより、偏倚位置の回転リールに向けた前記視線の方向と、出射面による光の出射方向とを関係付けることができる。そして、これら両者の方向を合わせれば、遊技者は、頭部を回す等して視線を偏倚位置の回転リールに向けることのみで、出射面で出射した光を、該回転リールの特定図柄の強発光窓部を介して容易かつ安定して捉えることができる。
上記（４）の作用効果としては、基準遊技位置で正対する遊技者が、頭部を回す等によって偏倚位置の回転リールに向けた視線の方向と、出射面で出射した光の方向とを、略一致、又は両者のずれを可及的に小さくできる。これにより、遊技者は、出射面から出射された光を、偏倚位置の回転リールに設けられた特定図柄の強発光窓部を介して一層容易かつ安定して捉えることができる。
上記（５）の作用効果としては、バックライトユニットの本来の機能である回転リールの図柄を裏側から照らすという効果と、上述した作用効果とをバランス良く発揮できる。これは、ａ）点光源の上下に導光部を設けたとしても、上述した本発明の作用効果に差が生じず、点光源の上下に導光部を設ける必要性が低いこと、ｂ）導光部に入射した分だけ、点光源から前方に照射される光量が低減するため、効率化が求められることに因る。
上記（６）の作用効果としては、導光部の有無に関わらず、共通の点光源基板を使用できるため、該点光源基板の製造コストを削減できる。
上記（７）の別構成の作用効果としては、回転リールの配設位置に関わらず、同一構造のバックライトユニットを配設でき、該バックライトユニットの製造コストを低減することができる。
【実施例３】
【００７７】
実施例３のスロットマシン１は、図１６に示すように、上下方向に回転する三基の回転リール９ａ，９ｂ，９ｃの上方に、左右横方向に回転する演出用の回転リール１０９を備えた構成である。そして、スロットマシン１の前扉３の前面側には、前記回転リール１０９を表示する演出用の図柄表示部１０４が設けられていると共に、該回転リール１０９を停止するための演出用チャンススイッチ１０７が配設されている。実施例３のスロットマシン１は、前記した演出用の回転リール１０９に設けられた特定図柄１２２ａ，１２２ｂを、予め定められた特定位置で停止させるための目押しを、遊技者が実行可能とするものである。具体的には、後述する「当」の特定図柄１２２ａを、図柄表示部１０４の中停止位置に停止させようとする目押しが、遊技者により行われる。尚、実施例３の構成は、前記回転リール１０９、図柄表示部１０４、演出用チャンススイッチ１０７を設けた以外は上述した実施例１と同じ構成であることから、同じ構成要素には同じ符号を記し、その説明を省略した。
【００７８】
ここで、実施例３のスロットマシン１にあって、その機台前方で椅子に座って正対する標準体型の遊技者の視線高さを、基準視線高さ位置Ｐと規定すると、上記の回転リール１０９は該基準視線高さ位置Ｐよりも上方に偏倚した位置に配置される（図１９参照）。
【００７９】
スロットマシン１の筐体２の内部には、上記の回転リール１０９を備えたリールユニット１１０が取り付けられている（図示せず）。このリールユニット１１０は、図１７に示すように、回転リール１０９を支持するフレーム１１１を備え、該フレーム１１１にステッピングモータ３４（図６参照）が取り付けられている。このステッピングモータ３４の回動軸に回転リール１０９が接続される。回転リール１０９は、上記した実施例１の回転リール９ａ〜９ｃと同じ構造であり、その内側に上記した実施例１と同じ構造のバックライトユニット６０が配設されている。
【００８０】
回転リール１０９のステッピングモータ３４は、サブ制御基板１５（図３参照）に接続されており、該サブ制御基板１５から出力されるリール制御信号に従って駆動制御される。また、上記の演出用チャンススイッチ１０７は、サブ制御基板１５に接続されており、該演出用チャンススイッチ１０７が操作された場合に、その信号が該サブ制御基板１５に入力される。そして、リールユニット１１０には、回転リール１０９の回転角度位置を検知するセンサ（図示せず）が配設されており、回転中に該センサで検知された回転角度位置と、前記演出用チャンススイッチ１０７が遊技者により操作されたタイミングとに基づいて、該回転リール１０９が停止制御される。さらにまた、回転リール１０９の内側に配設されたバックライトユニット６０のＬＥＤ基板６２は、サブ制御基板１５に接続されており、該サブ制御基板１５から出力される発光制御信号に従って発光制御される。
【００８１】
回転リール１０９の透光性シート５１には、複数の図柄が列設されており、そのなかに、非透光性部位と透光性部位とからなる「大」、「当」、「り」の特定図柄１２２ａ，１２２ｂを備える。ここで、「大」および「当」の特定図柄１２２ａには、その左下部位に、透光性を有する星形の強発光窓部５３ａが設けられており、「り」の特定図柄１２２ｂには、その左上部位に、前記と同じ星形の強発光窓部５３ｂが設けられている。こうした特定図柄１２２ａ，１２２ｂは、上述した実施例１の特定図柄５２ａ，５２ｂと同様に裏面に白色塗料が印刷されたものであり、夫々の強発光窓部５３ａ，５３ｂには、実施例１と同様にチヂミ印刷が施されている。
【００８２】
こうした回転リール１０９を表示する図柄表示部１０４では、該回転リール１０９の停止状態で、横方向に三個の図柄が並んで表示される。これら三個の図柄の停止表示位置として、左停止位置、中停止位置、右停止位置が定められている。例えば、上記の特定図柄１２２ａ，１２２ｂが図柄表示部１０４で停止表示された場合には、左停止位置に「大」の特定図柄１２２ａが、中停止位置に「当」の特定図柄１２２ａが、右停止位置に「り」の特定図柄１２２ｂが夫々停止表示され、該図柄表示部１０４に「大当り」と表出される。
【００８３】
一方、バックライトユニット６０は、図１８のように、実施例１と同じ構造を成し、横向きで上記のフレーム１１１に配設される。すなわち、バックライトユニット６０のハウジング６１は、左側のリフレクタ室６４ａが上記図柄表示部１０４の左停止位置の真後ろに位置し、中央のリフレクタ室６４ｂが中停止位置の真後ろに位置し、右側のリフレクタ室６４ｃが右停止位置の真後ろに位置するように、回転リール１０９の内側に配設される。そして、各リフレクタ室６４ａ，６４ｂ，６４ｃには、夫々に五個の貫通孔７０ａ〜７０ｅが設けられている。ここで、各リフレクタ室６４ａ，６４ｂ，６４ｃの中央には、貫通孔７０ａが形成されており、左斜め下の貫通孔７０ｂが、図柄表示部１０４で停止表示する上記特定図柄１２２ａの強発光窓部５３ａに望む位置（真後ろ）に形成され、右斜め下の貫通孔７０ｃが、該貫通孔７０ｂと同じ高さ位置に形成されている。また、左斜め上の貫通孔７０ｄは、図柄表示部１０４で停止表示する上記特定図柄１２２ｂの強発光窓部５３ｂに望む位置（真後ろ）に形成され、右斜め上の貫通孔７０ｅが、該貫通孔７０ｄと同じ高さ位置に形成されている。これにより、回転リール１０９の回転中に、「大」および「当」の特定図柄１２２ａの強発光窓部５３ａは、貫通孔７０ｂ，７０ｃの直前方を通過し、「り」の特定図柄１２２ｂの強発光窓部５３ｂは、貫通孔７０ｄ，７０ｅの直前方を通過する。
【００８４】
各リフレクタ室６４ａ，６４ｂ，６４ｃには、各貫通孔７０ｂ〜７０ｅの上下両側に、上述した高反射部７１ａ，７１ｂが夫々設けられている。貫通孔７０ｂ〜７０ｅの上隣りに設けられた高反射部７１ｂの高反射面７４ｂは、遊技者が回転リール１０９へ向けた視線の方向に基づいて設定されている。すなわち、図１９のように、機台に正対する（基準遊技位置Ｓの）遊技者が、上記の基準視線高さ位置Ｐで正面視した方向を、正視方向Ｏとし、該基準視線高さ位置Ｐで遊技者が回転リール１０９に向けた上向きの視線の方向を、上向き視線方向Ｒとした場合に、該正視方向Ｏと上向き視線方向Ｒとの成す角度δと一致するように、前記高反射部７１ｂの高反射面７４ｂの傾斜角度αを設定する。これにより、各リフレクタ室６４ａ，６４ｂ，６４ｃに設けられた上側の高反射面７４ｂは、前記上向きの視線方向Ｒと略直交する。尚、視線方向に対する考え方は、上述した実施例１と同じである。また、本実施例にあって、下側の高反射部７１ａは、上側の高反射部７１ｂと上下対称に設けられる。
【００８５】
こうしたバックライトユニット６０を回転リール１０９の内側に配設した実施例３の構成では、該回転リール１０９が左右横方向に回転中に、「大」および「当」の特定図柄１２２ａの強発光窓部１２３ａが、リフレクタ室６４ａ，６４ｂ，６４ｃの各貫通孔７０ｂ、７０ｃを順に通過する毎に、該強発光窓部１２３ａから斜め下向きに、瞬間的に強い光が発せられる。同様に、「り」の特定図柄１２２ｂの強発光窓部１２３ｂが、リフレクタ室６４ａ，６４ｂ，６４ｃの各貫通孔７０ｄ、７０ｅを順に通過する毎に、該強発光窓部１２３ｂから斜め下向きに、瞬間的に強い光が発せられる。これにより、機台に正対する遊技者は、図柄表示部１０４で変動表示する回転リール１０９に視線を向けることによって、前記した特定図柄１２２ａ，１２２ｂの強発光窓部１２３ａ，１２３ｂによる瞬間的な発光を、容易かつ安定して捉えることができる。
【００８６】
このように本実施例３の構成にあっては、左右横方向に回転する回転リール１０９が、基準視線高さ位置Ｐよりも上方へ偏倚した位置に配設されたものであり、さらに、該回転リール１０９の内側に、高反射部７１ａ，７１ｂを備えたバックライトユニット６０が配設されている。かかる構成によれば、回転リール１０９の回転中における、特定図柄１２２ａ，１２２ｂの強発光窓部１２３ａ，１２３ｂを介した瞬間的な発光を、遊技者は姿勢を変えずに視線を該回転リール１０９に向けるだけで、比較的容易かつ安定して捉えることができる。そのため、強発光窓部１２３ａ，１２３ｂによる瞬間的な発光を参考として、左右横方向に回転する回転リール１０９の目押し操作を行うことができる。すなわち、本実施例３は、上述した上下方向の回転リール９ａ，９ｃを備えた実施例１による作用効果を、基準視線高さ位置Ｐよりも上方へ偏倚した位置で左右方向に回転する回転リール１０９を備えた構成で、同様に発揮できるものである。尚、本実施例３の構成では、回転リール１０９が左右横方向に回転し且つ該回転リール１０９が基準視線高さ位置Ｐよりも上方の偏倚位置にあることから、リフレクタ室６４ａ，６４ｂ，６４ｃでは貫通孔７０ｂ〜７０ｅの上下にのみ高反射部７１ａ，７１ｂを設け、上述した実施例１と同様に、バックライトユニット６０の本来の機能と、前記の作用効果とがバランス良く発揮されるようにしている。
【００８７】
尚、本実施例３の構成は、上述した実施例１と同様、三基の回転リール９ａ〜９ｃを備えたリールユニット１０にバックライトユニット６０を備えていることから、該実施例１と同じ作用効果も奏する。また、バックライトユニット６０は、三基の回転リール９ａ〜９ｃと回転リール１０９とで共通であることから、その生産性を向上でき、製造コストの削減に寄与する。
【００８８】
上述した実施例１の構成では、バックライトユニット６０が、貫通孔７０ｂ〜７０ｅの左右両側に高反射部７１ａ，７１ｂを備えた構成であるが、貫通孔７０ｂ〜７０ｅの左右一側にのみ高反射部を備えた構成としても良い。具体的には、実施例２と同様に、左側の回転リール９ａに配設されるバックライトユニットでは、貫通孔７０ｂ〜７０ｅの左側に高反射部を設け、右側の回転リール９ｃに配設されるバックライトユニットでは、貫通孔７０ｂ〜７０ｅの右側に高反射部を設ける。かかる構成にあっても、上述した実施例１と同様の作用効果を奏し得る。尚ここで、左側の回転リール９ａに配設される場合には、貫通孔７０ｂ〜７０ｅの左側が、本発明の外側に相当し、右側の回転リール９ｃに配設される場合には、貫通孔７０ｂ〜７０ｅの右側が、本発明の外側に相当する。
また、上述した実施例２の構成にあって、導光部８１を、貫通孔７０ｂ〜７０ｅの左右両側に配設した構成とすることも可能である。
【００８９】
上述した実施例３の構成にあっては、バックライトユニット６０が、貫通孔７０ｂ〜７０ｅの上下両側に高反射部７１ａ，７１ｂを備えた構成であるが、その他の構成として、貫通孔７０ｂ〜７０ｅの上側にのみ高反射部７１ｂを備えた構成としても良い。これは、回転リール１０９が、基準視線高さ位置Ｐよりも上方に偏倚した位置に配設されていることに因り、かかる構成にあっても、実施例３と同様の作用効果を奏する。
また、実施例３と同じ構造の回転リール１０９を、基準視線高さ位置Ｐよりも下方に偏倚した位置に配設した構成とすることもできる。この場合には、実施例３と同じ構成のバックライトユニット６０を適用できる。さらに、貫通孔７０ｂ〜７０ｅの下側にのみ高反射部を備えた構成とすることも可能である。
【００９０】
上述した実施例１，３の構成では、高反射部をハウジングと一体成型したものであるが、これに限らず、該高反射部を別部材として成形し、ハウジングに取り付ける構成とすることも可能である。
また、実施例２の構成では、導光部をハウジングと別部材とした構成であるが、これに限らず、導光部とハウジングと一体成型したものとして良い。
【００９１】
上述した実施例１，２の構成にあって、三基の回転リール９ａ〜９ｃの他に、上下方向に回転する演出用の回転リールを備えた構成とし、この演出用の回転リールにも、高反射部を備えたバックライトユニットを配設することが可能である。
【００９２】
本発明にあっては、上述した実施例に限定されるものではなく、上述の実施例以外の構成についても本発明の趣旨の範囲内で適宜変更して実施可能である。
【符号の説明】
【００９３】
１    スロットマシン（遊技機）
４，１０４    図柄表示部
９ａ，９ｂ，９ｃ，１０９    回転リール
５２    図柄
５２ａ，５２ｂ，１２２ａ，１２２ｂ    特定図柄
５３ａ，５３ｂ    強発光窓部
６０    バックライトユニット
６２    ＬＥＤ基板（点光源基板）
６４ａ，６４ｂ，６４ｃ    リフレクタ室（リフレクタ）
７１ａ，７１ｂ    高反射部
７２ａ，７２ｂ    隆起部
７３ａ，７３ｂ    傾斜面
７４ａ，７４ｂ    高反射面
７９    ＬＥＤ（点光源）
８１    導光部
Ｌ    機台中心線
Ｐ    基準視線高さ位置
Ｓ    基準遊技位置
【図１】
2016195635.tif 000003
【図２】
2016195635.tif 000004
【図３】
2016195635.tif 000005
【図４】
2016195635.tif 000006
【図５】
2016195635.tif 000007
【図６】
2016195635.tif 000008
【図７】
2016195635.tif 000009
【図８】
2016195635.tif 000010
【図９】
2016195635.tif 000011
【図１０】
2016195635.tif 000012
【図１１】
2016195635.tif 000013
【図１２】
2016195635.tif 000014
【図１３】
2016195635.tif 000015
【図１４】
2016195635.tif 000016
【図１５】
2016195635.tif 000017
【図１６】
2016195635.tif 000018
【図１７】
2016195635.tif 000019
【図１８】
2016195635.tif 000020
【図１９】
2016195635.tif 000021
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、点光源が配置されると共に、
前記偏倚位置の回転リールの内側に配設されたリフレクタ内には、特定図柄の強発光窓部を臨む位置に配設された点光源とその少なくとも外側で隣合うように設けられ、該点光源から発した光を強発光窓部を介して前記機台中心線側の斜め前方へ反射する、該リフレクタの反射面に比して高い光反射性を有する高反射部が備えられていることを特徴とする遊技機。
【請求項２】
前記強発光窓部を望む位置に配置された点光源の外側に設けられた高反射部は、所定角度で傾斜するように形成され、リフレクタの反射面に比して高い光反射性を有する高反射面を備えていることを特徴とする請求項１に記載の遊技機。
【請求項３】
前記高反射面の傾斜角度は、機台前方で正対する遊技者の基準遊技位置と、前記偏倚位置の回転リールの特定図柄の強発光窓部との位置関係に基づいて設定されていることを特徴とする請求項２に記載の遊技機。
【請求項４】
前記高反射面の傾斜角度は、機台前方で正対する遊技者の基準遊技位置における、正視方向と前記偏倚位置の回転リールの特定図柄の強発光窓部に向けた視線方向とが成す角度に、略一致するように設定されていることを特徴とする請求項２に記載の遊技機。
【請求項５】
前記高反射部は、前記点光源の上下には隣合って設けられていないことを特徴とする請求項１乃至請求項４のいずれか１項に記載の遊技機。
【請求項６】
前記高反射部は、前記点光源の左右両側に夫々隣合って設けられていることを特徴とする請求項１乃至請求項５のいずれか１項に記載の遊技機。
【請求項７】
前記高反射部が、リフレクタに設けられると共に、
前記点光源が、該リフレクタに着脱可能に取り付けられる点光源基板に配設されていることを特徴とする請求項１乃至請求項６のいずれか１項に記載の遊技機。
【請求項８】
前記高反射部は、
前記リフレクタに一体成形され、前記所定角度で傾斜する傾斜面を備えた隆起部と、
該隆起部の傾斜面に形成され、前記高反射面を構成する高反射層と
を備えたものであることを特徴とする請求項２乃至請求項４のいずれか１項に記載の遊技機。
【請求項９】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、点光源が配置されると共に、
前記偏倚位置の回転リールの内側に配設されたリフレクタ内には、特定図柄の強発光窓部を臨む位置に配設された点光源の少なくとも一部を覆うように配設され、該点光源から入射した光を強発光窓部を介して前記機台中心線側の斜め前方へ出射する導光部が備えられていることを特徴とする遊技機。
【請求項１０】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、点光源が配置されると共に、
前記偏倚位置の回転リールの内側に配設されたリフレクタ内には、特定図柄の強発光窓部を臨む位置に配設された点光源とその少なくとも上下いずれか一方で隣合うように設けられ、該点光源から発した光を強発光窓部を介して前記基準視線高さ位置側の斜め上方または斜め下方へ反射する、該リフレクタの反射面に比して高い光反射性を有する高反射部が備えられていることを特徴とする遊技機。
【手続補正２】
【補正対象書類名】明細書
【補正対象項目名】０００９
【補正方法】変更
【補正の内容】
【０００９】
ここで、機台中心線としては、機台の横方向の中心を示す上下方向の仮想線として規定される。
また、回転リールの回転方向としては、上から下へ向かう方向、下から上へ向かう方向のいずれか一方のみが定められていても良いし、さらには、これら両者のいずれかを選択的に定めるようにしても良い。そして、複数の回転リールを備えた構成の場合には、全ての回転リールで同じ回転方向としても良いし、他と異なる回転方向の回転リールを備えるようにしても良い。
また、複数の回転リールを備えた構成の場合には、強発光窓部を備えた特定図柄が、少なくとも、偏倚位置の一基の回転リールに設けられていれば良く、全ての回転リールに設けた構成と一部の回転リールに設けた構成とのいずれの構成とすることも可能である。
また、偏倚位置に複数の回転リールを備えた構成の場合には、その全ての回転リールに、高反射部を備えたバックライトユニットが配設される構成だけでなく、該偏倚位置の回転リールの中で少なくとも一基の回転リールに、高反射部を備えたバックライトユニットが配設される構成も含む。
また、複数の点光源を備えた構成の場合には、「強発光窓部を臨む位置」に配置される点光源の他に、これと異なる位置に配置された点光源を備えることも可能である。尚、一の点光源を備えた構成の場合には、該点光源が「強発光窓部を臨む位置」に配置される。
また、「強発光窓部を臨む位置」の点光源と該強発光窓部としては、夫々の寸法形状を相互に関係付けることを必ずしも要せず、全く無関係の寸法形状に設定することも可能である。例えば、強発光窓部が、点光源よりも大きいサイズとしたり、該強発光窓部の形状が、線状や環状などのように該点光源と全く異なる形状に設定することができる。尚ここで、強発光窓部と点光源との形状が異なる場合に、「強発光窓部を臨む位置」の点光源は、少なくとも一部分を照らせば良く、必ずしも該強発光窓部の全体を照らす必要が無い。
また、点光源が配置される「特定図柄の強発光窓部を臨む位置」としては、例えば、図柄表示部が、回転リールの停止状態で、一基の回転リールの三個の図柄を上下方向に停止表示する位置（上段、中段、下段の各停止位置）を定めたものである構成の場合に（一般的なスロットマシンの構成）、該各停止位置の少なくとも一の位置で停止表示した特定図柄の強発光窓部を臨む位置（具体的には、該強発光窓部の真後ろとなる位置）を示す。
また、高反射部は、機台中心線側の斜め前方へ光を反射させるものであれば良く、様々な形状のものを設定可能である。例えば、平面を備えた構成、曲面を備えた構成、凸形状、凹形状等のものを適用できる。
また、「点光源の少なくとも外側」に高反射部を設ける構成としては、該点光源の右側にのみ、該点光源の左側にのみ、左右両側に該高反射部を設ける場合のいずれとすることもできる。さらに、点光源の左右のいずれか一側に高反射部が設けられていれば、該点光源の上下のいずれか一側にのみ、又は上下両側にも高反射部が設けられていても良い。尚、このように点光源の上下左右の複数位置に高反射部を設ける場合には、全て同じ寸法形状の高反射部を設ける構成だけでなく、夫々異なる寸法形状の高反射部を設ける構成としても良い。
また、高反射部の「点光源と隣合う」とは、該高反射部が点光源に接触するように隣接して配設される場合と、該点光源から僅かな間隔をおいた位置に高反射部が配設される場合とのいずれをも含む。
【手続補正３】
【補正対象書類名】明細書
【補正対象項目名】００１３
【補正方法】変更
【補正の内容】
【００１３】
上述した本発明の遊技機にあって、前記強発光窓部を臨む位置に配置された点光源の外側に設けられた高反射部は、所定角度で傾斜するように形成され、リフレクタの反射面に比して高い光反射性を有する高反射面を備えている構成が提案される。
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、前記点光源が配置されると共に、
前記偏倚位置の回転リールの内側に配設されたリフレクタ内には、特定図柄の強発光窓部を臨む位置に配設された点光源とその少なくとも外側で隣合うように設けられ、
前記リフレクタに一体成形され、所定角度で傾斜する傾斜面を備えた隆起部と、
該隆起部の傾斜面に形成され、リフレクタの反射面に比して高い光反射性を有し、点光源から発した光を強発光窓部を介して機台中心線側の斜め前方へ反射する高反射面と
からなる高反射部を備えていることを特徴とする遊技機。
【請求項２】
前記強発光窓部を臨む位置に配置された点光源の外側に設けられた高反射部は、所定角度で傾斜するように形成され、リフレクタの反射面に比して高い光反射性を有する高反射面を備えていることを特徴とする請求項１に記載の遊技機。
【請求項３】
前記高反射面の傾斜角度は、機台前方で正対する遊技者の基準遊技位置と、前記偏倚位置の回転リールの特定図柄の強発光窓部との位置関係に基づいて設定されていることを特徴とする請求項２に記載の遊技機。
【請求項４】
前記高反射面の傾斜角度は、機台前方で正対する遊技者の基準遊技位置における、正視方向と前記偏倚位置の回転リールの特定図柄の強発光窓部に向けた視線方向とが成す角度に、略一致するように設定されていることを特徴とする請求項２に記載の遊技機。
【請求項５】
前記高反射部は、前記点光源の上下には隣合って設けられていないことを特徴とする請求項１乃至請求項４のいずれか１項に記載の遊技機。
【請求項６】
前記高反射部は、前記点光源の左右両側に夫々隣合って設けられていることを特徴とする請求項１乃至請求項５のいずれか１項に記載の遊技機。
【請求項７】
前記高反射部が、リフレクタに設けられると共に、
前記点光源が、該リフレクタに着脱可能に取り付けられる点光源基板に配設されていることを特徴とする請求項１乃至請求項６のいずれか１項に記載の遊技機。
【請求項８】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、点光源が配置されると共に、
前記偏倚位置の回転リールの内側に配設されたリフレクタ内には、特定図柄の強発光窓部を臨む位置に配設された点光源の少なくとも一部を覆うように配設され、該点光源から入射した光を強発光窓部を介して前記機台中心線側の斜め前方へ出射する導光部が備えられていることを特徴とする遊技機。
【請求項９】
外周面に複数種類の図柄が列設され、上下方向に回転する一又は複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす一又は複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、点光源が配置されると共に、
前記偏倚位置の回転リールの内側に配設されたリフレクタ内には、特定図柄の強発光窓部を臨む位置に配設された点光源とその少なくとも上下いずれか一方で隣合うように設けられ、該点光源から発した光を強発光窓部を介して前記基準視線高さ位置側の斜め上方または斜め下方へ反射する、該リフレクタの反射面に比して高い光反射性を有する高反射部が備えられていることを特徴とする遊技機。
【手続補正２】
【補正対象書類名】明細書
【補正対象項目名】００５５
【補正方法】変更
【補正の内容】
【００５５】
一方、上記リフレクタ室６４ａ，６４ｂ，６４ｃには、図９〜図１１のように、中心部位の貫通孔７０ａを除く他の貫通孔７０ｂ〜７０ｅの左右両側に、各貫通孔７０ｂ〜７０ｅと隣接する高反射部７１ａ，７１ｂが夫々設けられている。各貫通孔７０ｂ〜７０ｅの左側に隣接された高反射部７１ａは、前方へ突出する隆起部７２ａと、該隆起部７２ａに形成された高反射面７４ａとから構成される。ここで、隆起部７２ａは、その右側斜面に、所定角度αで傾斜する傾斜面７３ａを備え、該傾斜面７３ａに前記高反射面７４ａが形成されている。高反射面７４ａは、高い光反射性を有する光反射シートを、前記傾斜面７３ａに貼付することにより構成される。この光反射シートは、鏡のように金属光沢を持つものであり、上記したリフレクタ室６４ａ〜６４ｃの白系色に比して高い光反射性を有する。こうして隆起部７２ａの傾斜面７３ａに形成された高反射面７４ａにより、リフレクタ室６４ａ〜６４ｃの壁内面（反射面）よりも高い光反射性を有する高反射面７４ａが構成される。また、各貫通孔７０ｂ〜７０ｅの右側に隣接された高反射部７１ｂは、前記した左側の高反射部７１ａと左右対称に設けられる。すなわち、隆起部７２ｂが、その左側斜面に、所定角度αで傾斜する傾斜面７３ｂを備え、該傾斜面７３ｂに高反射面７４ｂが形成される。高反射面７４ｂは、前記光反射シートを貼付して構成されるものであり、該高反射面７４ｂにより、リフレクタ室６４ａ〜６４ｃの壁内面よりも高い光反射性を有する高反射面７４ｂが構成される。
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
各々が外周面に複数種類の図柄が縦方向に列設されて上下方向に回転する、横方向に並設された、複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、前記点光源が配置されると共に、
前記偏倚位置の回転リールの内側に配設されたリフレクタ内には、特定図柄の強発光窓部を臨む位置に配設された点光源とその少なくとも外側で隣合うように設けられ、
前記リフレクタに一体成形され、所定角度で傾斜する傾斜面を備えた前方へ突出する隆起部と、
該隆起部の傾斜面に形成され、リフレクタの反射面に比して高い光反射性を有し、点光源から発した光を強発光窓部を介して機台中心線側の斜め前方へ反射する高反射面と
からなる高反射部が備えられ、
該高反射部により、点光源から高反射部位置に照射された光を、機台前方で正対する遊技者位置に反射するようにしたことを特徴とする遊技機。
【請求項２】
前記強発光窓部を臨む位置に配置された点光源の外側に設けられた高反射部は、所定角度で傾斜するように形成され、リフレクタの反射面に比して高い光反射性を有する高反射面を備えていることを特徴とする請求項１に記載の遊技機。
【請求項３】
前記高反射面の傾斜角度は、機台前方で正対する遊技者の基準遊技位置と、前記偏倚位置の回転リールの特定図柄の強発光窓部との位置関係に基づいて設定されていることを特徴とする請求項２に記載の遊技機。
【請求項４】
前記高反射面の傾斜角度は、機台前方で正対する遊技者の基準遊技位置における、正視方向と前記偏倚位置の回転リールの特定図柄の強発光窓部に向けた視線方向とが成す角度に、略一致するように設定されていることを特徴とする請求項２に記載の遊技機。
【請求項５】
前記高反射部は、前記点光源の上下には隣合って設けられていないことを特徴とする請求項１乃至請求項４のいずれか１項に記載の遊技機。
【請求項６】
前記高反射部は、前記点光源の左右両側に夫々隣合って設けられていることを特徴とする請求項１乃至請求項５のいずれか１項に記載の遊技機。
【請求項７】
前記高反射部が、リフレクタに設けられると共に、
前記点光源が、該リフレクタに着脱可能に取り付けられる点光源基板に配設されていることを特徴とする請求項１乃至請求項６のいずれか１項に記載の遊技機。
【請求項８】
各々が外周面に複数種類の図柄が縦方向に列設されて上下方向に回転する、横方向に並設された、複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、点光源が配置されると共に、
前記偏倚位置の回転リールの内側に配設されたリフレクタ内には、特定図柄の強発光窓部を臨む位置に配設された点光源の、少なくとも一部を対向して覆うように配設され、点光源と対向する入射面と、該入射面から入射した光を前記機台中心線側の斜め前方へ出射するための傾斜角度を有する出射面とを備えた導光部が備えられ、該導光部により、点光源から入射面に照射された光を、出射面に導光して、該出射面から出射することにより、点光源からの光を強発光窓部を介して機台前方で正対する遊技者位置に照射するようにした
ことを特徴とする遊技機
【請求項９】
各々が外周面に複数種類の図柄が縦方向に列設されて上下方向に回転する、横方向に並設された、複数の回転リールと、
前記回転リールの前方に設けられ、該回転リールの図柄を変動表示する図柄表示部と、
前記回転リールの内側の、前記図柄表示部と対向する位置に配設され、該図柄表示部で表示される該回転リールの図柄を裏側から照らす複数の点光源と、
該点光源から発せられた光を反射させて前方へ照射させるリフレクタと
を備えた遊技機において、
前記回転リールの少なくとも一基が、機台中心線よりも側方に偏倚した所定位置に配設されたものであって、
前記回転リールの図柄のなかで一又は複数の図柄が、前記点光源から照射された光を透過する強発光窓部を備えた特定図柄であり、
前記偏倚位置の回転リールの内側の、少なくとも前記図柄表示部で停止表示された前記特定図柄の強発光窓部を臨む位置には、点光源が配置されると共に、
前記偏倚位置の回転リールの内側に配設されたリフレクタ内には、特定図柄の強発光窓部を臨む位置に配設された点光源とその少なくとも上下いずれか一方で隣合うように設けられ、該点光源から発した光を強発光窓部を介して前記基準視線高さ位置側の斜め上方または斜め下方へ反射する、該リフレクタの反射面に比して高い光反射性を有する高反射部が備えられ、該高反射部により、点光源から高反射部位置に照射された光を、機台前方で正対する遊技者位置に反射するようにしたことを特徴とする遊技機。